(57)【要約】  本開示は、カンナビノイド含有飲料を作製するための装置に関する。装置は、カンナビノイド含有物質を収容するカートリッジを受け入れるように構成された少なくとも１つのインターフェースを含む。装置は、少なくとも１つのインターフェースと流体連通し、ある量の物質をカートリッジから分配するように構成された少なくとも１つの弁も含む。弁コントローラは、弁によって分配される物質の量を変更するために、弁を制御するように構成されている。
2021534049.tif 000002
【特許請求の範囲】
【請求項１】
カンナビノイド含有飲料を作製するための装置であって、
カンナビノイド含有物質を収容するカートリッジを受け入れるように構成された少なくとも１つのインターフェースと、
前記少なくとも１つのインターフェースと流体連通し、ある量の前記物質を前記カートリッジから分配するように構成された少なくとも１つの弁と、
前記弁によって分配される前記物質の前記量を変更するために、前記弁を制御するように構成された弁コントローラと
を含む装置。
【請求項２】
前記カンナビノイド含有物質は、液体である、請求項１に記載の装置。
【請求項３】
前記カンナビノイド含有物質は、油である、請求項２に記載の装置。
【請求項４】
前記カンナビノイド含有物質は、粉末である、請求項１に記載の装置。
【請求項５】
前記カンナビノイド含有物質は、乳化粉末である、請求項４に記載の装置。
【請求項６】
前記弁は、絞り弁である、請求項１〜５のいずれか一項に記載の装置。
【請求項７】
前記絞り弁は、前記弁コントローラによって制御される電子制御式絞り弁である、請求項６に記載の装置。
【請求項８】
前記デバイスは、
通信デバイスから命令を受け取るように構成された通信インターフェースと、
前記弁によって分配される前記物質の前記量が前記通信デバイスによって設定され得るように、前記通信インターフェースから前記命令を受け取り、且つ前記弁コントローラの動作を制御するように構成されたプロセッサと
を更に含む、請求項７に記載の装置。
【請求項９】
前記通信デバイスは、モバイルデバイスである、請求項８に記載の装置。
【請求項１０】
前記命令は、前記装置に関連するモバイルアプリケーションを使用して前記モバイルデバイス上で生成される、請求項９に記載の装置。
【請求項１１】
カートリッジと関連付けられたカートリッジタグを読み取るように構成されたカートリッジタグリーダを含み、前記カートリッジタグは、カートリッジ情報を伝えるように配置されている、請求項８〜１０のいずれか一項に記載の装置。
【請求項１２】
前記カートリッジ情報は、前記カートリッジ内に収容された前記物質を識別する情報、前記カートリッジの製造業者を識別する情報、前記カートリッジの卸売業者を識別する情報及び前記カートリッジのベンダーを識別する情報の少なくとも１つを含む、請求項１１に記載の装置。
【請求項１３】
前記プロセッサは、前記カートリッジ情報に基づいて前記装置を無効化するように更に構成されている、請求項１２に記載の装置。
【請求項１４】
前記プロセッサは、前記カートリッジの前記製造業者を識別する前記情報が、前記カートリッジが所定の製造業者によって製造されたことを示す情報を含まない限り、前記装置を無効化するように構成されている、請求項１３に記載の装置。
【請求項１５】
前記カートリッジタグは、一次元バーコード、二次元バーコード及び無線識別（ＲＦＩＤ）タグの１つを含む、請求項１１〜１４のいずれか一項に記載の装置。
【請求項１６】
前記カートリッジタグは、一次元バーコード及び二次元バーコードの１つを含み、前記バーコードは、法規制遵守のために必要とされる、請求項１５に記載の装置。
【請求項１７】
前記プロセッサ及び前記通信インターフェースは、前記通信デバイスに前記カートリッジ情報を提供するように構成されている、請求項８〜１６のいずれか一項に記載の装置。
【請求項１８】
前記デバイスは、前記カートリッジからカートリッジ内容物情報を受け取るように構成された少なくともデータインターフェースを更に含み、前記カートリッジ内容物情報は、前記カートリッジ内に残っている物質の量に関する情報を伝える、請求項８〜１７のいずれか一項に記載の装置。
【請求項１９】
前記デバイスは、少なくとも１つのボリュームセンサを更に含み、前記少なくとも１つのボリュームセンサは、前記カートリッジ内に残っている物質の量を検出し、且つ前記カートリッジ内に残っている前記物質の量に関する情報を伝える内容物情報を生成するように構成されている、請求項８〜１７のいずれか一項に記載の装置。
【請求項２０】
前記プロセッサ、前記通信インターフェース及び前記データインターフェースは、前記通信デバイスにカートリッジ内容物情報を提供するように構成されている、請求項１８又は１９に記載の装置。
【請求項２１】
カンナビノイド含有物質を収容する複数のカートリッジの１つを受け入れるようにそれぞれ構成された複数のインターフェースと、
それぞれ対応するインターフェースと流体連通し、且つある量の前記物質を対応するカートリッジから分配するように構成された複数の弁と
を含む、請求項１に記載の装置。
【請求項２２】
前記複数のカートリッジの２つ以上は、同じカンナビノイド含有物質を収容する、請求項２１に記載の装置。
【請求項２３】
前記複数のカートリッジの少なくとも２つは、異なるカンナビノイド含有物質を収容する、請求項２１又は２２に記載の装置。
【請求項２４】
前記カンナビノイド含有物質のそれぞれは、液体、油、粉末及び乳化粉末の１つである、請求項２１に記載の装置。
【請求項２５】
前記複数の弁は、絞り弁である、請求項２１〜２４のいずれか一項に記載の装置。
【請求項２６】
前記複数の絞り弁は、前記弁コントローラによって制御される電子制御式絞り弁である、請求項２５に記載の装置。
【請求項２７】
前記デバイスは、
通信デバイスから命令を受け取るように構成された通信インターフェースと、
前記複数の弁によって分配される前記物質の前記量が、前記通信デバイスから受け取られた前記命令によって設定され得るように、前記通信インターフェースから前記命令を受け取り、且つ前記弁コントローラの動作を制御するように構成されたプロセッサと
を更に含む、請求項２６に記載の装置。
【請求項２８】
前記通信デバイスは、モバイルデバイスである、請求項２７に記載の装置。
【請求項２９】
前記命令は、前記装置に関連するモバイルアプリケーションを使用して前記モバイルデバイス上で生成される、請求項２８に記載の装置。
【請求項３０】
前記デバイスは、複数のグラフィカルコントロール要素を実装するように構成されたグラフィカルユーザインターフェース（ＧＵＩ）を更に含み、前記グラフィカルコントロール要素は、前記装置の使用者が、前記複数の弁によって分配される前記物質の前記量を選択することを可能にするように構成されている、請求項２６に記載の装置。
【請求項３１】
前記グラフィカルコントロール要素は、前記複数の弁によって分配される前記物質の所与の量を設定するために、使用者が、データ通信ネットワーク上で、前記弁コントローラの動作を制御するための命令をダウンロードすることを可能にするように更に構成されている、請求項３０に記載の装置。
【請求項３２】
前記複数のカートリッジのカートリッジと関連付けられたカートリッジタグを読み取るようにそれぞれ構成された複数のカートリッジタグリーダを含み、各カートリッジタグは、対応するカートリッジに関連するカートリッジ情報を伝えるように配置されている、請求項２７〜３１のいずれか一項に記載の装置。
【請求項３３】
前記カートリッジ情報は、前記対応するカートリッジ内に収容された前記物質を識別する情報、前記対応するカートリッジの前記製造業者を識別する情報、前記対応するカートリッジの前記卸売業者を識別する情報及び前記対応するカートリッジの前記ベンダーを識別する情報の少なくとも１つを含む、請求項３２に記載の装置。
【請求項３４】
前記プロセッサは、前記カートリッジタグの少なくとも１つの前記カートリッジ情報に基づいて前記装置を無効化するように更に構成されている、請求項３３に記載の装置。
【請求項３５】
前記プロセッサは、各カートリッジについて、前記カートリッジの前記製造業者を識別する前記情報が、前記カートリッジが所定の製造業者によって製造されたことを示す情報を含まない限り、前記装置を無効化するように構成されている、請求項３４に記載の装置。
【請求項３６】
前記カートリッジタグは、一次元バーコード、二次元バーコード及び無線識別（ＲＦＩＤ）タグの１つを含む、請求項３２〜３５のいずれか一項に記載の装置。
【請求項３７】
各カートリッジタグは、一次元バーコード及び二次元バーコードの１つを含み、前記バーコードは、法規制遵守のために必要とされる、請求項３６に記載の装置。
【請求項３８】
前記プロセッサ及び前記通信インターフェースは、前記通信デバイスに前記カートリッジ情報を提供するように構成されている、請求項３２〜３５のいずれか一項に記載の装置。
【請求項３９】
前記デバイスは、前記複数のインターフェースのそれぞれについて、前記対応するカートリッジからカートリッジ内容物情報を受け取るように構成されたデータインターフェースを更に含み、前記カートリッジ内容物情報は、前記対応するカートリッジ内に残っている物質の量に関する情報を伝える、請求項３２〜３８のいずれか一項に記載の装置。
【請求項４０】
前記デバイスは、少なくとも１つのボリュームセンサを更に含み、前記少なくとも１つのボリュームセンサは、前記複数のカートリッジ内に残っている物質の量を検出し、且つ前記複数のカートリッジ内に残っている前記物質の量に関する情報を伝える内容物情報を生成するように構成されている、請求項３２〜３８のいずれか一項に記載の装置。
【請求項４１】
飲料を収容するカートリッジを受け入れるように構成された少なくとも１つのインターフェースと、
前記少なくとも１つのインターフェースと流体連通し、ある量の前記飲料を前記カートリッジから分配するように構成された少なくとも１つの弁と、
前記弁によって分配される前記飲料の前記量を変更するために、前記弁を制御するように構成された弁コントローラと
を更に含む、請求項２１〜４０のいずれか一項に記載の装置。
【請求項４２】
カンナビノイド含有飲料を作製するための装置を制御するコンピュータ実施方法であって、前記装置は、カンナビノイド含有物質とカートリッジタグとを含むカートリッジを受け入れるように構成された少なくとも１つのインターフェースと、前記カートリッジタグを読み取るように構成された少なくとも１つのカートリッジタグリーダとを含み、前記カートリッジタグは、前記カートリッジに関連するカートリッジ情報を伝えるように構成されており、前記方法は、
前記カートリッジタグから前記カートリッジ情報を読み取る工程と、
前記カートリッジ情報が所定のカートリッジ情報に対応しない場合に前記装置を無効化する工程と
を含む、コンピュータ実施方法。
【請求項４３】
前記カートリッジ情報は、前記対応するカートリッジ内に収容された前記物質を識別する情報、前記対応するカートリッジの製造業者を識別する情報、前記対応するカートリッジの卸売業者を識別する情報及び前記対応するカートリッジのベンダーを識別する情報の少なくとも１つを含む、請求項４２に記載のコンピュータ実施方法。
【請求項４４】
前記カートリッジ情報及び前記所定のカートリッジ情報は、前記対応するカートリッジの前記製造業者を識別する情報に関連する、請求項４３に記載のコンピュータ実施方法。
【請求項４５】
前記デバイスは、グラフィカルユーザインターフェース（ＧＵＩ）を更に含み、及び前記方法は、前記ＧＵＩ上において、前記装置が無効化されたことを示す通知を生成することを更に含む、請求項４２〜４４のいずれか一項に記載のコンピュータ実施方法。
【請求項４６】
カンナビノイド含有飲料を作製するための装置を制御するコンピュータ実施方法であって、前記装置は、カンナビノイド含有物質を収容するカートリッジを受け入れるように構成された少なくとも１つのインターフェースと、前記カートリッジ内に残っている物質の量に関する情報を伝える内容物情報を生成するように構成された少なくとも１つのボリュームセンサとを含み、前記方法は、
前記ボリュームセンサから内容物情報を受け取る工程と、
前記カートリッジ内に残っている前記物質の量を前記内容物情報から抽出する工程と、
前記カートリッジ内に残っている前記物質の量が閾値未満であるかどうかを決定する工程と、
前記カートリッジ内に残っている前記物質の量が前記閾値未満である場合に警告信号を生成する工程と
を含む、コンピュータ実施方法。
【請求項４７】
前記装置は、通信インターフェースを更に含み、及び前記カートリッジ内に残っている前記物質の量が前記閾値未満であると決定されると、前記方法は、
ネットワーク上で、カートリッジ購入要求を受け取るように構成されたリモートサーバとのデータ通信接続を確立する工程と、
前記リモートサーバにカートリッジ購入要求を送信する工程と
を更に含む、請求項４６に記載のコンピュータ実施方法。
【請求項４８】
請求項２７〜４０のいずれか一項に記載の装置を制御するコンピュータ実施方法であって、
異なる組み合わせのカンナビノイド含有物質の複数の配合を示す情報を提供するように構成された配合サーバに接続する工程と、
前記複数の配合の中から配合を選択する工程と、
前記選択された配合を示す前記情報を前記モバイルデバイスで受け取る工程と、
前記選択された配合を示す前記情報を前記装置で受け取る工程と、
前記選択された配合に従って前記弁コントローラを構成する工程と
を含むコンピュータ実施方法。
【請求項４９】
請求項１〜４１のいずれか一項に記載の装置と共に使用するためのカートリッジであって、
ある量のカンナビノイド含有物質と、
前記カートリッジに関連するカートリッジ情報を伝えるように構成されたカートリッジタグと
を含むカートリッジ。
【請求項５０】
前記カートリッジ情報は、前記対応するカートリッジ内に収容された前記物質を識別する情報、前記対応するカートリッジの前記製造業者を識別する情報、前記対応するカートリッジの前記卸売業者を識別する情報及び前記対応するカートリッジの前記ベンダーを識別する情報の少なくとも１つを含む、請求項４９に記載のカートリッジ。
【請求項５１】
前記カートリッジタグは、一次元バーコード、二次元バーコード及び無線識別（ＲＦＩＤ）タグの１つを含む、請求項４９又は５０に記載のカートリッジ。
【請求項５２】
各カートリッジタグは、一次元バーコード及び二次元バーコードの１つを含み、前記バーコードは、法規制遵守のために必要とされる、請求項５１に記載のカートリッジ。
【請求項５３】
少なくとも１種の液体可溶性の又は部分的に液体可溶性のカンナビノイド含有物質を含む発泡性タブレット。
【請求項５４】
複数の液体可溶性の又は部分的に液体可溶性のカンナビノイド含有物質を含む、請求項５３に記載の発泡性タブレット。
【請求項５５】
液体可溶性の又は部分的に液体可溶性のカンナビノイド含有物質をそれぞれ含有する個別包装された発泡性タブレットの連結されたアレイを含む消費者製品。
【請求項５６】
各発泡性タブレットは、異なる液体可溶性の又は部分的に液体可溶性のカンナビノイド含有物質を含有する、請求項５５に記載の消費者製品。
【請求項５７】
前記アレイの横列内の前記発泡性タブレットは、同じ液体可溶性の又は部分的に液体可溶性のカンナビノイド含有物質を含有する、請求項５５に記載の消費者製品。
【請求項５８】
前記アレイの各縦列は、異なる液体可溶性の又は部分的に液体可溶性のカンナビノイド含有物質を含有する発泡性タブレットを収容する、請求項５７に記載の消費者製品。
【請求項５９】
前記アレイの少なくとも１つの横列は、テトラヒドロカンナビノール（ＴＨＣ）系物質を含有する発泡性タブレットを収容する、請求項５８に記載の消費者製品。
【請求項６０】
前記アレイの少なくとも１つの横列は、カンナビジオール（ＣＢＤ）系物質を含有する発泡性タブレットを収容する、請求項５９に記載の消費者製品。
【請求項６１】
少なくとも１種の液体可溶性の又は部分的に液体可溶性のカンナビノイド含有物質を含む発泡性タブレットを分配するための装置であって、
複数の発泡性タブレットを保持するようにそれぞれ構成された複数のチャンバであって、各チャンバは、
発泡性タブレットを通過させるように構成された開口部を有する分配端と、
前記発泡性タブレットを前記分配端に向かって付勢するための機械的な付勢手段と、
１つの発泡性タブレットを、少なくとも部分的に前記開口部を通して移動させるように構成された分配アクチュエータと
を含む、複数のチャンバ
を含む装置。
【請求項６２】
各チャンバは、異なる液体可溶性の又は部分的に液体可溶性のカンナビノイド含有物質を含有する発泡性タブレットを収容する、請求項６１に記載の装置。
【請求項６３】
少なくとも１つのチャンバは、テトラヒドロカンナビノール（ＴＨＣ）系物質を含有する発泡性タブレットを収容する、請求項６２に記載の装置。
【請求項６４】
少なくとも１つのチャンバは、カンナビジオール（ＣＢＤ）系物質を含有する発泡性タブレットを収容する、請求項６３に記載の装置。
【請求項６５】
カンナビス含有飲料を調製するための装置であって、
第１のカンナビノイド材料供給源と、
第２のカンナビノイド材料供給源と、
前記第１の供給源からの第１の量のカンナビノイド材料と前記第２の供給源からの第２の量のカンナビノイド材料とを組み合わせて飲料にするために、前記第１のカンナビノイド材料供給源及び前記第２のカンナビノイド材料供給源と連通している分配手段と
を含む装置。
【請求項６６】
前記分配手段の動作を調整するための制御手段を含む、請求項６５に記載の装置。
【請求項６７】
前記分配手段は、弁手段を含む、請求項６５又は６６に記載の装置。
【請求項６８】
前記制御手段は、前記第１の供給源から分配されるカンナビノイド材料の量と前記第２の供給源から分配されるカンナビノイド材料の量とを互いに独立して調節することを可能にする、請求項６６に記載の装置。
【請求項６９】
前記第１の供給源の前記カンナビノイド材料は、前記第２の供給源の前記カンナビノイド材料と異なる、請求項６５〜６８のいずれか一項に記載の装置。
【請求項７０】
前記第１のカンナビノイド材料供給源は、前記第１のカンナビノイド材料供給源が入れられたカートリッジを含む、請求項６８に記載の装置。
【請求項７１】
前記カートリッジは、第１のカートリッジであり、前記第２のカンナビノイド材料供給源は、第２のカートリッジ内に入れられる、請求項７０に記載の装置。
【請求項７２】
前記制御手段は、ある量のカンナビノイド材料が前記第１のカートリッジから分配されること及びある量のカンナビノイド材料が前記第２のカートリッジから分配されることを示す信号を受け取るための入力手段を含む、請求項７１に記載の装置。
【請求項７３】
前記制御手段は、前記第１のカートリッジ内のカンナビノイド材料のレベル及び前記第２のカートリッジ内のカンナビノイド材料のレベルを決定するためのレベル検知手段を含む、請求項７２に記載の装置。
【請求項７４】
前記制御手段は、前記入力手段で前記信号によって伝達された前記第１のカンナビノイド材料の前記量及び前記第２のカンナビノイド材料の前記量を分配するために十分なカンナビノイド材料が前記第１のカートリッジ及び前記第２のカートリッジ内に残っているかどうかを前記レベル検知手段から決定するように構成されている、請求項７３に記載の装置。
【請求項７５】
前記制御手段は、前記信号によって要求される十分なカンナビノイド材料が前記第１のカートリッジ及び前記第２のカートリッジのいずれか１つに残っていないことを前記レベル検知手段が示す場合、前記第１のカートリッジ及び前記第２のカートリッジからのカンナビノイド材料の分配を阻止する、請求項７４に記載の装置。
【発明の詳細な説明】
【技術分野】
【０００１】
関連出願の相互参照
本出願は、参照により本明細書に組み込まれる、２０１８年８月２０日に出願の米国仮特許出願第６２／７１９，９６６号明細書からの優先権を主張する。
【０００２】
本開示は、概して、カンナビノイド含有消費者製品に関する。特に、本開示は、飲料又は他の食物のためのカンナビノイド含有液体及び粉末添加物を調製するためのシステム、装置、方法及び配合、カンナビノイド含有飲料を供給又は消費するための装置並びに飲料又は他の食物に使用するカンナビノイド含有液体及び粉末添加物の配合に関する。
【背景技術】
【０００３】
カンナビノイド含有消費者製品の市場は、勢いを増しているものの、歴史的には、カンナビス業界の秘密的性質により技術革新が大きく抑制され、製品開発活動が洗練されていないことに加えて、消費者製品の安全性及び特性基準が十分に発達していないことを特徴とする市場となっている。
【０００４】
例えば、インディカ、ハイブリッド及びサティバなどの伝統的な製品表記法は、多くの場合、特定の製品の実際の化学的性質とほとんど関係ない。カンナビノイド含有製品が到達する主流の消費者数が増えるにつれて、これらの不完全さは、カンナビス関連消費者製品市場に対する消費者及び立法者の認識に多大な悪影響を及ぼすであろう。
【発明の概要】
【発明が解決しようとする課題】
【０００５】
これらの理由及び他の理由から、精密であり、一貫性があり、且つ目的に沿った体験を消費者に提供すると共に、カンナビス系消費者製品の技術主導型及びデータ主導型の標準化を可能にする洗練された消費技術に対する需要及びニーズの増大を満たす、飲料又は他の食物のためのカンナビノイド含有液体及び粉末添加物を調製するためのシステム、装置、方法及び配合、カンナビノイド含有飲料を供給又は消費するための装置並びに飲料又は他の食物に使用するカンナビノイド含有液体及び粉末添加物の配合の改良が必要とされている。
【課題を解決するための手段】
【０００６】
本開示は、概して、水溶性カンナビス化合物系飲料を調製するためのスマートデバイスに関する。これらのデバイスは、液体可溶性のカンナビノイド含有物質及び／又は他の香料添加物を収容する消耗可能なカートリッジを受け入れ、利用するように構成されている。本明細書中に定義されるように、カンナビノイド含有物質は、液体、スラリー又は流動固体（例えば、粉末）の形態をとることができる。本開示は、液体可溶性のカンナビノイド含有物質を含有する発泡性タブレット及びこれらを分配するための装置にも関する。
【０００７】
一態様によれば、本開示は、カンナビノイド含有飲料を作製するための装置に関する。装置は、カンナビノイド含有物質を収容するカートリッジを受け入れるように構成された少なくとも１つのインターフェースを含む。装置はまた、少なくとも１つのインターフェースと流体連通し、ある量の物質をカートリッジから分配するように構成された少なくとも１つの弁と、弁によって分配される物質の量を変更するために、弁を制御するように構成された弁コントローラとを含む。
【０００８】
別の態様によれば、本開示は、カンナビノイド含有飲料を作製するための装置を制御するコンピュータ実施方法であって、装置は、カンナビノイド含有物質とカートリッジタグとを含むカートリッジを受け入れるように構成された少なくとも１つのインターフェースと、カートリッジタグを読み取るように構成された少なくとも１つのカートリッジタグリーダとを含み、カートリッジタグは、カートリッジに関連するカートリッジ情報を伝えるように構成されている、コンピュータ実施方法に関する。方法は、カートリッジタグからカートリッジ情報を読み取る工程と、カートリッジ情報が所定のカートリッジ情報に対応しない場合に装置を無効化する工程とを含む。
【０００９】
更に別の態様によれば、本開示は、カンナビノイド含有飲料を作製するための装置を制御するコンピュータ実施方法であって、装置は、カンナビノイド含有物質を収容するカートリッジを受け入れるように構成された少なくとも１つのインターフェースと、カートリッジ内に残っている物質の量に関する情報を伝える内容物情報を生成するように構成された少なくとも１つのボリュームセンサとを含む、コンピュータ実施方法に関する。方法は、ボリュームセンサから内容物情報を受け取る工程と、カートリッジ内に残っている物質の量を内容物情報から抽出する工程とを含む。方法はまた、カートリッジ内に残っている物質の量が閾値未満であるかどうかを決定する工程と、カートリッジ内に残っている物質の量が閾値未満である場合に警告信号を生成する工程とを含む。
【００１０】
更に別の態様によれば、本開示は、前述のものを制御するコンピュータ実施方法に関する。方法は、異なる組み合わせのカンナビノイド含有物質の複数の配合を示す情報を提供するように構成された配合サーバに接続する工程と、複数の配合の中から配合を選択する工程とを含む。方法はまた、選択された配合を示す情報をモバイルデバイスで受け取る工程と、選択された配合を示す情報を装置で受け取る工程とを含む。方法は、選択された配合に従って弁コントローラを構成する工程も含む。
【００１１】
更に別の態様によれば、本開示は、前述の装置と共に使用するためのカートリッジに関する。カートリッジは、ある量のカンナビノイド含有物質と、カートリッジに関連するカートリッジ情報を伝えるように構成されたカートリッジタグとを含む。
【００１２】
更に別の態様によれば、本開示は、少なくとも１種の液体可溶性の又は部分的に液体可溶性のカンナビノイド含有物質を含む発泡性タブレットに関する。
【００１３】
更に別の態様によれば、本開示は、液体可溶性の又は部分的に液体可溶性のカンナビノイド含有物質をそれぞれ含有する個別包装された発泡性タブレットの連結されたアレイを含む消費者製品に関する。
【００１４】
更に別の態様によれば、本開示は、少なくとも１種の液体可溶性の又は部分的に液体可溶性のカンナビノイド含有物質を含む発泡性タブレットを分配するための装置に関する。装置は、複数の発泡性タブレットを保持するようにそれぞれ構成された複数のチャンバを含む。各チャンバは、発泡性タブレットを通過させるように構成された開口部を有する分配端と、発泡性タブレットを分配端に向かって付勢するための機械的な付勢手段と、１つの発泡性タブレットを、少なくとも部分的に開口部を通して移動させるように構成された分配アクチュエータとを含む。
【００１５】
更に別の態様によれば、本開示は、カンナビス含有飲料を調製するための装置に関する。装置は、第１のカンナビノイド材料供給源と、第２のカンナビノイド材料供給源と、第１の供給源からの第１の量のカンナビノイド材料と第２の供給源からの第２の量のカンナビノイド材料とを組み合わせて飲料にするために、第１のカンナビノイド材料供給源及び第２のカンナビノイド材料供給源と連通している分配手段とを含む。
【００１６】
以下、例の詳細な説明を、以下の図面を参照しながら記載する。
【図面の簡単な説明】
【００１７】
【図１】カンナビノイド含有飲料を調製及び分配するための例示的なデバイスの図を示す。
【図２】カンナビノイド含有飲料を調製及び分配するための図１の例示的なデバイスの機能概略図を示す。
【図３】カンナビノイド含有飲料を調製及び分配するための図１、図５及び図８の例示的なデバイスと共に使用するための例示的なカートリッジを示す。
【図４】カンナビノイド含有飲料を調製及び分配するための図１の例示的なデバイスの例示的なグラフィカルユーザインターフェース（ＧＵＩ）を示す。
【図５】カンナビノイド含有飲料を調製するための例示的なハンドヘルドデバイスを示す。
【図６】カンナビノイド含有飲料を調製及び分配するための図５の例示的なハンドヘルドデバイスの機能概略図を示す。
【図７】カンナビノイド含有飲料を調製するためのデバイスを制御するように構成された通信デバイスの例示的なグラフィカルユーザインターフェース（ＧＵＩ）を示す。
【図８】カンナビノイド含有飲料を調製するための例示的なデバイスの図を示す。
【図９】カンナビノイド含有飲料を調製するための例示的なデバイスと共に使用するためのカートリッジを確認する例示的な方法を示すフローチャートを示す。
【図１０】カンナビノイド含有飲料を調製するための例示的なデバイスと共に使用するためのカートリッジを自動的に再注文する例示的な方法を示すフローチャートを示す。
【図１１】カンナビノイド含有飲料を調製するための例示的なデバイスと共に使用するための配合レシピをダウンロードする例示的な方法を示すフローチャートを示す。
【図１２】カンナビノイド含有飲料を調製するための例示的なデバイスと共に使用するための配合レシピをアップロードする例示的な方法を示すフローチャートを示す。
【図１３】カンナビノイド含有飲料を調製するための例示的なデバイスと共に使用されるように構成された例示的なデータ通信システムの高レベルネットワーク図を示す。
【図１４】カンナビノイド含有飲料を作成するための例示的な発泡性タブレットを示す。
【図１５】複数の例示的な発泡性タブレットの安全な流通及び販売のための消費者製品の一例を示す。
【図１６】複数の例示的な発泡性タブレットの安全な流通及び販売のための消費者製品の一例を示す。
【発明を実施するための形態】
【００１８】
ここで、以下の実施形態の説明を添付図面と併せて精査すると、本開示のこれらの及び他の態様が当業者に明らかになるであろう。
【００１９】
図１は、カンナビノイド含有飲料の液体配合物を調製及び／又は分配するための例示的なデバイス１００の図を示す。いくつかの実施形態では、デバイスは、飲料容器１０１内にある既存の飲料に添加されるカンナビノイド含有物質を分配するように構成されている。いくつかの実施形態では、デバイス１００は、飲料容器１０１にカンナビノイド含有飲料を分配するように構成されている。更に他の実施形態では、デバイス１００は、飲料容器１０１内にある既存の飲料に添加されるカンナビノイド含有物質を分配するように、且つ飲料容器１０１にカンナビノイド含有飲料を分配するように構成されている。本明細書で定義されるように、物質という用語は、液体、粉末、油、樹脂及び発泡性タブレットを含むが、これらに限定されない。いくつかの実施形態では、物質は、乳化粉末である。
【００２０】
いくつかの実施形態では、デバイス１００は、飲料を受けるための容器１０１を支持するように構成されたベース１１０を含む。いくつかの実施形態では、デバイス１００は、飲料に添加するためのカンナビノイド含有飲料又はカンナビノイド含有濃縮物を分配するように構成された分配ヘッド１０３も含む。分配ヘッドは、複数のカートリッジ１０４１〜５を受け入れるように構成された複数のスロット１１１ｘを含む。図１に示される実施形態では、デバイス１００は、５つのスロット１１１ｘを含むが、他の実施形態では、デバイス１００は、任意の数のスロット１１１ｘ、例えば、１０個のスロット１１１ｘ又は２０個のスロット１１１ｘを含むことができる。
【００２１】
スロット１１１１を参照すると、いくつかの実施形態では、各スロット１１１ｘは、カートリッジ１０４１の一部を形成する対応するカートリッジインターフェース１０５に接続するためのデバイスインターフェース１１２を含む。インターフェース１１２及びインターフェース１０５は、液体又は粉末がカートリッジ１０４１からデバイス１００に流入することを可能にする。いくつかの実施形態では、インターフェース１１２及びインターフェース１０５は、カートリッジ１０４１をデバイス１００に固定することを可能にする。いくつかの実施形態では、インターフェース１１２及びインターフェース１０５は、カートリッジ１０４１の機能要素とデバイス１００との間の電子、化学又は電気機械連通も可能にする。各スロット１１１ｘは、各カートリッジ１０４ｘ上に（又は内に）含まれるカートリッジタグ１０６を読み取るように構成されたカートリッジタグリーダ１１３も含む。分配ヘッド１０３は、各スロット１１１ｘのデバイスインターフェースと制御された流体連通状態にあるスパウト１０２も含む。
【００２２】
いくつかの実施形態では、デバイス１００は、カートリッジ１０７を受け入れるための更なるスロット１１４も含む。いくつかの実施形態では、カートリッジ１０７は、カートリッジ１０４１〜５よりも大きく、飲料のためのベース液体を収容し、分配するように構成されている。飲料のためのベース液体のいくつかの例としては、飲料水、ミルク（乳製品及び非乳製品の両方）、ジュース、スムージー、コーヒー又はカフェイン添加飲料、茶、ハーブ茶、ココア飲料、任意の種類の炭酸飲料、エネルギー飲料、飲むヨーグルト、発酵飲料又はアルコール飲料が挙げられるが、これらに限定されない。カートリッジ１０７は、加圧液体を収容してもしなくてもよい。他の実施形態では、カートリッジ１０７は、例えば、同じくスパウト１０２と流体連通する流体コネクタ取付具１１７を介して供給される飲料のためのベース液体を炭酸化又は窒素化するように構成された加圧ガスキャニスタを含む。いくつかの実施形態では、デバイス１００は、スパウト１０２と制御された流体連通状態にある更なるデバイスインターフェース１１５も含む。以下により詳細に記載するように、デバイスインターフェース１１５は、カートリッジ１０７の一部を形成するカートリッジインターフェース１０８を受け入れるように構成されている。いくつかの実施形態では、スロット１１４は、カートリッジ１０７上又はカートリッジ１０７内に含まれるカートリッジタグ１０９を読み取るように構成されたカートリッジタグリーダ１１６も含む。
【００２３】
図３は、カンナビノイド含有飲料を調製及び分配するための例示的なデバイスと共に使用するための例示的なカートリッジ３００を示す。いくつかの例では、カートリッジ３００は、カートリッジインターフェース３０３及び液体又は粉末リザーバ３０４を含む。液体又は粉末リザーバ３０４は、ガラス及びプラスチックを含むが、これらに限定されない任意の適切な材料で作製することができる。いくつかの例では、カートリッジインターフェース３０３は、対応するデバイスインターフェースと機械的に協働し、粉末又は液体が液体又は粉末リザーバ３０４からデバイス１００に実質的に自由に流入することを可能にするためのカップリングを形成するように構成されている。いくつかの例では、カートリッジインターフェース３０３とデバイスインターフェースとは、機械的に相互係止するように構成されている。いくつかの例では、液体又は粉末濃縮物を保持するリザーバ３０４からカートリッジインターフェース３０３を介した、デバイスへのデバイスインターフェースを介した流体連通は、カートリッジインターフェース３０３とデバイスインターフェースとの間の機械的な相互係止によって可能にされる。
【００２４】
いくつかの例では、カートリッジインターフェース３０３は、カートリッジインターフェース３０３を受け入れるように構成された対応するデバイスインターフェース（例えば、デバイスインターフェース１１２）と電子的に協働するように構成されている。いくつかの例では、カートリッジインターフェース３０３は、カートリッジに関する情報を伝えるように構成されたＲＦＩＤタグを含み得る。他の例では、カートリッジインターフェース３０３は、カートリッジに関する情報を伝えるための他の機械的又は電子的手段を含む。
【００２５】
いくつかの実施形態では、カートリッジインターフェース３０３は、デバイス１００、５００、８００の１つのデバイスインターフェース１１２、５１１、８０８の１つと係合するまでチャイルドレジスタントであるように構成されている。チャイルドレジスタンスは、機械的に又は電子的に提供され得る。例えば、リザーバ３０４からの粉末又は液体の流れは、デバイス１００、５００、８００の１つのデバイスインターフェース１１２、５１１、８０８の１つとの結合によって作動される弁が機械的又は電気的に有効化されるまで阻止され得る。
【００２６】
カートリッジに関する情報の例としては、カートリッジ３００の内容物（例えば、カートリッジの内容物中に存在する任意のカンナビノイドの身元及びその体積量）、カートリッジ３００の製造業者の身元、卸売業者の身元及び／若しくはベンダーの身元又はカートリッジ３００の内容物の保存寿命に関する情報が挙げられるが、これらに限定されない。
【００２７】
いくつかの実施形態では、カートリッジ３００は、カートリッジに関する情報を伝えるためのカートリッジタグ３０２を含む。図３の非限定的な例では、カートリッジタグ３０２は、バーコードである。いくつかの実施形態では、カンナビス系製品のパッケージに関する規制要件に準拠する必要があるバーコードは、カートリッジを識別するために使用されるカートリッジタグ３０２である。他の適切なカートリッジタグ３０２としては、クイックレスポンス（ＱＲ（商標））コード又は他の適切なマトリックスバーコード、無線識別（ＲＦＩＤ）タグ又はカートリッジ３００に関する前述の情報を伝えることができる任意の他の適切なタグが挙げられるが、これらに限定されない。
【００２８】
いくつかの実施形態では、カートリッジ３００は、リザーバ内に存在する液体又は粉末の残量を測定するように構成されたボリュームセンサ３０１を含む。ボリュームセンサ３０１の例としては、ロードセル、ひずみゲージ、静電容量レベルセンサ、超音波レベルセンサ、光学式レベルスイッチ又は導電性センサが挙げられるが、これらに限定されない。ボリュームセンサ３０１は、リザーバ内に存在する液体又は粉末の残量を示す信号を発するように更に構成されており、この信号は、カートリッジインターフェース／デバイスインターフェースを介してデバイス１００、５００、８００に通信され得る。したがって、リザーバ内に存在する液体又は粉末の残量に関する情報は、組成物が分配されるたびにメモリ２１６に保存され得る。代わりに、リザーバ内に存在する液体又は粉末の残量に関する情報は、設定された時間間隔でメモリ２１６に保存され得る。
【００２９】
他の実施形態では、リザーバ内に存在する液体又は粉末の残量を示す信号は、デバイスの一部を形成するボリュームセンサによって生成され得る。いくつかの例では、各スロット１１１ｘは、対応するスロット１１１ｘ内に挿入されているカートリッジと関連するリザーバ内に存在する液体又は粉末の残量を決定するためのボリュームセンサを含む。いくつかの実施形態では、各スロット１１１ｘと関連付けられたボリュームセンサは、対応するスロット１１１ｘ内に挿入されているカートリッジと関連するリザーバ内に残っている物質のレベルを光学的に決定するように構成されている。
【００３０】
いくつかの例では、カートリッジ１０４１、１０４２、１０４３、１０４４、１０４５のそれぞれは、カンナビス系添加物濃縮物、カンナビス系香料濃縮物、他の香料濃縮物又はカンナビス系液体配合物を作成するのに適した任意の他の添加物を含む。このようなカンナビス系添加物としては、本明細書に記載されるものが挙げられるが、これに限定されない。いくつかの例では、カンナビス系添加物としては、水溶性にされ、水含有飲料中に溶解させるとカンナビス系液体配合物を生成するように構成された１種以上の実質的に単離されたカンナビノイドを含むカンナビノイド系液体又は粉末濃縮物が挙げられる。いくつかの例では、１種以上の実質的に単離されたカンナビノイドとしては、テトラヒドロカンナビノール（ＴＨＣ）、カンナビジオール（ＣＢＤ）及び／又は任意の他の主若しくは副カンナビノイドが挙げられる。いくつかの例では、カンナビス系添加物としては、水溶性にされた、１種以上の実質的に単離されたカンナビステルペンを含むテルペン系添加物が挙げられる。いくつかの例では、実質的に単離されたカンナビステルペンとしては、リモネン、リナロール、カリオフィレン、カンフェン及び／又は任意の他のカンナビステルペンが挙げられる。いくつかの例では、カートリッジ１０４ｘは、飲料での使用に適した任意の他の天然又は合成香料を収容することができる。いくつかの例では、カートリッジ１０４ｘは、飲料での使用に適した任意の他の天然又は合成添加物を収容することができる。
【００３１】
本発明で使用する場合、「液体配合物」という用語は、自由に又は圧力下において、しかし一定量で流動する配合物を意味する。本明細書に記載される液体配合物は、飲料に添加するのに適した液体添加物であり得る。本明細書に記載される液体配合物は、飲料であり得る。いくつかの実施形態では、液体配合物は、飲料水、ミルク（乳製品及び非乳製品の両方）、ジュース、スムージー、コーヒー又はカフェイン添加飲料、茶、ハーブ茶、ココア飲料、炭酸飲料、エネルギー飲料、飲むヨーグルト、発酵飲料又はアルコール飲料などの飲料である。
【００３２】
いくつかの実施形態では、液体配合物は、炭酸飲料である。炭酸飲料は、ゼロカロリーを有し得る。いくつかの実施形態では、液体配合物は、ビール、ラガービール、シードル、スピリッツ、ワイン／酒精強化ワイン及びカクテルが挙げられるが、これらに限定されないアルコール飲料である。
【００３３】
本明細書で使用する場合、「カンナビノイド」という用語は、一般に、カンナビノイド受容体に作用する任意の化合物を含むものと理解される。カンナビノイドとしては、エンドカンナビノイド（ヒト及び動物によって自然に生成される）、植物性カンナビノイド（カンナビス及びそれ以外の植物中にある）及び合成カンナビノイド（人工的に製造される）が挙げられ得る。
【００３４】
植物性カンナビノイドの例としては、カンナビゲロール酸（ＣＢＧＡ）、カンナビゲロール（ＣＢＧ）、カンナビゲロールモノメチルエーテル（ＣＢＧＭ）、カンナビゲロバリン（ＣＢＧＶ）、カンナビクロメン（ＣＢＣ）、カンナビクロメバリン（ＣＢＣＶ）、カンナビジオール（ＣＢＤ）、カンナビジオールモノメチルエーテル（ＣＢＤＭ）、カンナビジオール−Ｃ４（ＣＢＤ−Ｃ４）、カンナビジバリン（ＣＢＤＶ）、カンナビジオールコール（ＣＢＤ−Ｃ１）、デルタ−９−テトラヒドロカナビノール（Δ９−ＴＨＣ）、デルタ−９−テトラヒドロカンナビノール酸Ａ（ＴＨＣＡ−Ａ）、デルタ−９−テトラヒドロカンナビオノール酸Ｂ（ＴＨＣＡ−Ｂ）、デルタ−９−テトラヒドロカンナビノール酸−Ｃ４（ＴＨＣＡ−Ｃ４）、デルタ−９−テトラヒドロカナビノール−Ｃ４、デルタ−９−テトラヒドロカンナビバリン（ＴＨＣＶ）、デルタ−９−テトラヒドロカンナビオールコール（ＴＨＣ−Ｃ１）、デルタ−７−シス−イソテトラヒドロカンナビバリン、デルタ−８−テトラヒドロカナビノール（Δ８−ＴＨＣ）、カンナビシクロール（ＣＢＬ）、カンナビシクロバリン（ＣＢＬＶ）、カンナビエルソイン（ＣＢＥ）、カンナビノール（ＣＢＮ）、カンナビノールメチルエーテル（ＣＢＮＭ）、カンナビノール−Ｃ４（ＣＢＮ−Ｃ４）、カンナビバリン（ＣＢＶ）、カンナビノール−Ｃ２（ＣＢＮ−Ｃ２）、カンナビオールコール（ＣＢＮ−Ｃ１）、カンナビノジオール（ＣＢＮＤ）、カンナビノジバリン（ＣＢＶＤ）、カンナビノトリオール（ＣＢＴ）、１０−エトキシ−９ヒドロキシ−デルタ−６ａ−テトラヒドロカナビノール、８，９−ジヒドロキシ−デルタ−６ａ−テトラヒドロカナビノール、カンナビトリオールバリン（ＣＢＴＶ）、エトキシ−カンナビトリオールバリン（ＣＢＴＶＥ）、デヒドロカンナビフラン（ＤＣＢＦ）、カンナビフラン（ＣＢＦ）、カンナビクロマノン（ＣＢＣＮ）、カンナビシトラン（ＣＢＴ）、１０−オキソ−デルタ−６ａ−テトラヒドロカンナビオノール（ＯＴＨＣ）、デルタ−９−シス−テトラヒドロカナビノール（シス−ＴＨＣ）、３，４，５，６−テトラヒドロ−７−ヒドロキシ−アルファ−アルファ−２−トリメチル−９−ｎ−プロピル−２、６−メタノ−２Ｈ−１−ベンゾオキソシン−５−メタノール（ＯＨ−イソ−ＨＨＣＶ）、カンナビリプソール（ＣＢＲ）、トリヒドロキシ−デルタ−９−テトラヒドロカナビノール（トリＯＨ−ＴＨＣ）、カンナビノールプロピル変異体（ＣＢＮＶ）及びこれらの誘導体が挙げられるが、これらに限定されない。
【００３５】
合成カンナビノイドの例としては、ナフトイルインドール、ナフチルメチルインドール、ナフトイルピロール、ナフチルメチルインデン、フェニルアセチルインドール、シクロヘキシルフェノール、テトラメチルシクロプロピルインドール、アダマントイルインドール、インダゾールカルボキサミド及びキノリニルエステルが挙げられるが、これらに限定されない。
【００３６】
カンナビノイドは、酸形態又は非酸形態であり得、非酸形態は、酸形態の脱炭酸によって生成することができるため、非酸形態は、脱炭酸形態とも称される。特定のカンナビノイドを参照する本開示に関連して、カンナビノイドは、その酸形態若しくは非酸形態又は酸形態と非酸形態との両方の混合物であり得る。
【００３７】
本明細書に記載される液体配合物は、純粋若しくは単離した形態のカンナビノイド又はカンナビノイドを含む原料物質を含み得る。カンナビノイドを含む原料物質の例としては、カンナビス又は麻植物材料（例えば、花、種子、トリコーム及びキーフ）、粉砕したカンナビス又は麻植物材料、カンナビス又は麻植物材料から得られる抽出物（例えば、樹脂、ワックス及び濃縮物）及び蒸留して得た抽出物又はキーフが挙げられるが、これらに限定されない。いくつかの実施形態では、純粋若しくは単離したカンナビノイド及び／又はカンナビノイドを含む原料物質は、水、脂質、炭化水素（例えば、ブタン）、エタノール、アセトン、イソプロパノール又はこれらの混合物と混合され得る。
【００３８】
いくつかの実施形態では、カンナビノイドは、テトラヒドロカナビノール（ＴＨＣ）である。ＴＨＣは、その脱炭酸した状態でのみ精神活性である。そのカルボン酸形態（ＴＨＣＡ）は、精神活性ではない。デルタ−９−テトラヒドロカナビノール（Δ９−ＴＨＣ）及びデルタ−８−テトラヒドロカナビノール（Δ８−ＴＨＣ）は、脳内のＣＢ１カンナビノイド受容体に結合することにより、カンナビスに関連する効果を発生させる。
【００３９】
いくつかの実施形態では、カンナビノイドは、カンナビジオール（ＣＢＤ）である。「カンナビジオール」又は「ＣＢＤ」という用語は、一般に、以下の化合物の１種以上を指すものと理解され、特定の他の１種又は複数の立体異性体が明記されない限り、化合物「Δ２−カンナビジオール」を含む。これらの化合物は、（１）Δ５−カンナビジオール（２−（６−イソプロペニル−３−メチル−５−シクロヘキセン−１−イル）−５−ペンチル−１，３−ベンゼンジオール）；（２）Δ４−カンナビジオール（２−（６−イソプロペニル−３−メチル−４−シクロヘキセン−１−イル）−５−ペンチル−１，３−ベンゼンジオール）；（３）Δ３−カンナビジオール（２−（６−イソプロペニル−３−メチル−３−シクロヘキセン−１−イル）−５−ペンチル−１，３−ベンゼンジオール）；（４）Δ３，７−カンナビジオール（２−（６−イソプロペニル−３−メチレンシクロヘキス−１−イル）−５−ペンチル−１，３−ベンゼンジオール）；（５）Δ２−カンナビジオール（２−（６−イソプロペニル−３−メチル−２−シクロヘキセン−１−イル）−５−ペンチル−１，３−ベンゼンジオール）；（６）Δ１−カンナビジオール（２−（６−イソプロペニル−３−メチル−１−シクロヘキセン−１−イル）−５−ペンチル−１，３−ベンゼンジオール）；及び（７）Δ６−カンナビジオール（２−（６−イソプロペニル−３−メチル−６−シクロヘキセン−１−イル）−５−ペンチル−１，３−ベンゼンジオール）である。
【００４０】
いくつかの実施形態では、カンナビノイドは、テトラヒドロカナビノール（ＴＨＣ）とカンナビジオール（ＣＢＤ）との混合物である。液体配合物中のＴＨＣとＣＢＤとの重量（ｗ／ｗ）比は、約１：１０００、約１：９００、約１：８００、約１：７００、約１：６００、約１：５００、約１：４００、約１：３００、約１：２５０、約１：２００、約１：１５０、約１：１００、約１：９０、約１：８０、約１：７０、約１：６０、約１：５０、約１：４５、約１：４０、約１：３５、約１：３０、約１：２９、約１：２８、約１：２７、約１：２６、約１：２５、約１：２４、約１：２３、約１：２２、約１：２１、約１：２０、約１：１９、約１：１８、約１：１７、約１：１６、約１：１５、約１：１４、約１：１３、約１：１２、約１：１１、約１：１０、約１：９、約１：８、約１：７、約１：６、約１：５、約１：４．５、約１：４、約１：３．５、約１：３、約１：２．９、約１：２．８、約１：２．７、約１：２．６、約１：２．５、約１：２．４、約１：２．３、約１：２．２、約１：２．１、約１：２、約１：１．９、約１：１．８、約１：１．７、約１：１．６、約１：１．５、約１：１．４、約１：１．３、約１：１．２、約１：１．１、約１：１、約１．１：１、約１．２：１、約１．３：１、約１．４：１、約１．５：１、約１．６：１、約１．７：１、約１．８：１、約１．９：１、約２：１、約２．１：１、約２．２：１、約２．３：１、約２．４：１、約２．５：１、約２．６：１、約２．７：１、約２．８：１、約２．９：１、約３：１、約３．５：１、約４：１、約４．５：１、約５：１、約６：１、約７：１、約８：１、約９：１、約１０：１、約１１：１、約１２：１、約１３：１、約１４：１、約１５：１、約１６：１、約１７：１、約１８：１、約１９：１、約２０：１、約２１：１、約２２：１、約２３：１、約２４：１、約２５：１、約２６：１、約２７：１、約２８：１、約２９：１、約３０：１、約３５：１、約４０：１、約４５：１、約５０：１、約６０：１、約７０：１、約８０：１、約９０：１、約１００：１、約１５０：１、約２００：１、約２５０：１、約３００：１、約４００：１、約５００：１、約６００：１、約７００：１、約８００：１、約９００：１又は約１０００：１であり得る。
【００４１】
いくつかの実施形態では、配合物は、１１−ヒドロキシ−Δ９−テトラヒドロカナビノール（１１−ＯＨ−ＴＨＣ）を含むカンナビノイド代謝産物を含み得る。
【００４２】
いくつかの実施形態では、本明細書に記載される液体配合物は、液体配合物中のカンナビノイドと共にマイクロカプセル化システムを形成する１種以上のカプセル化剤を含み得る。カプセル化剤は、カンナビノイドを完全に包囲するコーティング材料として又はカンナビノイドが埋封される均質若しくは不均質マトリックスとして機能し得る。
【００４３】
カンナビノイドは、マイクロカプセル化前にキャリアオイル又は溶剤中に可溶化され得る。カンナビノイドに適したキャリアオイル及び溶剤としては、ルリジサ油、ココナッツ油、綿実油、大豆油、ベニバナ油、ヒマワリ油、ヒマシ油、コーン油、オリーブ油、パーム油、ピーナッツ油、アーモンド油、ゴマ油、菜種油、ペパーミント油、けし油、キャノーラ油、パーム核油、水素化大豆油、水素化植物油、飽和脂肪酸のグリセリルエステル、ベヘン酸グリセリル、ジステアリン酸グリセリル、イソステアリン酸グリセリル、ラウリン酸グリセリル、モノオレイン酸グリセリル、グリセリル、モノリノール酸、パルミチン酸グリセリル、パルミトステアリン酸グリセリル、リシノレイン酸グリセリル、ステアリン酸グリセリル、オレイン酸ポリグリセリル−１０、オレイン酸ポリグリセリル−３、オレイン酸ポリグリセリル−４、テトラリノール酸ポリグリセリル−１０、ベヘン酸、中鎖トリグリセリド（例えば、カプリル酸グリセリド／カプリン酸グリセリド）、エタノール、アセトン、イソプロパノール、炭化水素及びこれらの任意の組み合わせが挙げられるが、これらに限定されない。
【００４４】
いくつかの実施形態では、１種以上のカプセル化剤は、フィルムを形成する天然又は合成バイオポリマーであり、タンパク質、炭化水素、脂質、脂肪及びゴム若しくは１種以上の低分子界面活性剤又はこれらの任意の組み合わせを含む。いくつかの実施形態では、１種以上のカプセル化剤は、アラビアゴム；コーンスターチなどのデンプン；オクテニルコハク酸変性デンプンなどの変性デンプン；メチルセルロース、ヒドロキシプロピルセルロース、メチルヒドロキシプロピルセルロース及びカルボキシメチルセルロースなどの変性セルロース；ビートペクチンなどの特定タイプのペクチン；マルトデキストリン及び可溶性大豆多糖類などの多糖類；コーンファイバーガム；ホエイタンバク質及びホエイタンバク質成分（例えば、ホエイタンバク質濃縮物、ホエイタンバク質単離物及び高純度タンパク質分画（β−ラクトグロブリン及びα−ラクトアルブミンなど））などの球状タンパク質；ゼラチン及びカゼイン（例えば、カゼイン酸ナトリウム、カゼインカルシウム及び高純度タンパク質分画（β−カゼインなど））などのフレキシブルタンパク質；Ｔｗｅｅｎ  ２０（ポリオキシエチレンソルビタンモノラウレート）、Ｔｗｅｅｎ  ４０（ポリオキシエチレンソルビタンモノパルミテート）、Ｔｗｅｅｎ  ６０（ポリオキシエチレンソルビタンモノステアラート）、Ｔｗｅｅｎ  ４０（ポリオキシエチレンソルビタンモノパルミテート）、Ｔｗｅｅｎ  ６０（ポリオキシエチレンソルビタンモノステアラート）及びＴｗｅｅｎ  ８０（ポリオキシエチレンソルビタンモノオレエート）などのＴｗｅｅｎ類（ポリソルベート）；モノパルミチン酸スクロース、モノステアリン酸スクロース、ジステアリン酸スクロース、ポリステアリン酸スクロース及びラウリン酸スクロースなどの糖エステル；キラヤサポニン（Ｑ−Ｎａｔｕｒａｌｅ（登録商標））及びその成分；Ｓｐａｎ  ２０（ソルビタンモノノラウラート）、Ｓｐａｎ  ４０（ソルビタンモノパルミテート）、Ｓｐａｎ  ６０（ソルビタンモノステアラート）、Ｓｐａｎ  ８０（ソルビタンモノオレエート）などのソルビタンエステル（Ｓｐａｎ類）；両親媒性ブロック共重合体；コレステロール；卵黄由来ホスファチジルコリン及び大豆由来ホスファチジルコリン；２−ヒドロキシプロピル−β−シクロデキストリンなどのシクロデキストリン；レシチン；又はこれらの任意の組み合わせであり得る。
【００４５】
マイクロカプセル化技術としては、乳化及びナノ乳化技術、混合、均質化、注入、噴霧乾燥、噴霧冷却、噴霧チリング、凍結乾燥、気中懸濁被覆、流動床押出、遠心押出、コアセルベーション、回転懸濁分離、共結晶化、リポソーム封入、界面重合、分子包接、マイクロ流動化、超音波処理、物理吸着、複合体形成、ナノサイズ自己集合又はこれらの任意の組み合わせが挙げられ得る。マイクロカプセル化プロセスは、熱の印加により、例えばマイクロ波照射により補助又は促進され得る。混合は、回分反応器、連続攪拌槽型反応器及びプラグフロー反応器を含み得るが、これらに限定されない理想的な化学反応器を用いてモデル化され得る。
【００４６】
マイクロカプセル化システムとしては、エマルション、ナノエマルション、ミセル、固体脂質ナノ粒子、ナノ構造脂質キャリア、リポソーム、ナノリポソーム、ニオソーム、ポリマー粒子又はヒドロゲル粒子が挙げられ得る。
【００４７】
いくつかの例では、各カートリッジ１０４ｘは、カートリッジタグ１０６を含む。カートリッジタグ１０６は、カートリッジ１０４ｘに関する情報をデバイス１００に伝えるように構成されている。カートリッジに関する情報の例としては、カートリッジ１０４ｘの内容物、カートリッジ１０４ｘの製造業者、卸売業者及び／又はベンダー、カートリッジ１０４ｘの内容物の保存寿命に関する情報が挙げられるが、これらに限定されない。
【００４８】
いくつかの例では、カートリッジタグ１０６は、バーコードであり、各スロット１１１ｘは、カートリッジ１０４ｘがデバイススロット１１１ｘ内に挿入されたとき又はその後にバーコードを読み取るように構成されたバーコードリーダ１１３を含む。他の適切なカートリッジタグ１０６としては、クイックレスポンス（ＱＲ（商標））コード又は他の適切なマトリックスバーコード、無線識別（ＲＦＩＤ）タグ又はカートリッジ１０４ｘに関する前述の情報を伝えることができる任意の他の適切なタグが挙げられるが、これらに限定されない。同様に、他の適切なカートリッジタグリーダ１１３としては、クイックレスポンス（ＱＲ（商標））コードリーダ又は他の適切なマトリックスバーコードリーダ、無線識別（ＲＦＩＤ）タグリーダ又はカートリッジ１０４ｘに関する前述の情報を伝えるように構成されたタグを読み取ることができる任意の他の適切なタグリーダが挙げられるが、これらに限定されない。
【００４９】
ここで、カンナビノイド含有飲料を調製及び分配するための例示的なデバイスの概略図を示す図２を特に参照し、デバイス１００の動作の態様について説明する。デバイス２００は、カートリッジ２０８１〜５内に収容された粉末又は液体の、対応する絞り弁２０７１〜５への自由流体連通を可能にするように構成された複数のカップリング２０９１〜５を含む。いくつかの実施形態では、各カップリング２０９ｘは、カートリッジインターフェース１０５と動作的に係合したデバイスインターフェース１１２からなり、カートリッジ２０８１〜５内に収容された粉末又は液体が、対応する絞り弁２０７１〜５に実質的に遮られることなく流れることを可能にする。
【００５０】
デバイス１００は、弁コントローラ２０２と、通信インターフェース２０４と、メモリ２１６と、グラフィカルユーザインターフェース（ＧＵＩ）２０３とに動作的に接続されたプロセッサ２０１も含む。弁コントローラ２０２は、絞り弁２０７１〜５に動作的に接続されている。いくつかの実施形態では、プロセッサ２０１、弁コントローラ２０２及び通信インターフェース２０４の２つ以上の要素は、互いに物理的に別々のデバイスに実装され得、バス（例えば、１つ以上の導体又は任意の他の適切なバス）を介して又は有線であり得る通信リンクを介して互いに接続され得る。他の実施形態では、プロセッサ２０１、弁コントローラ２０２及び通信インターフェース２０４の２つ以上の要素は、単一の集積デバイスに実装され得る。更に、いくつかの実施形態では、プロセッサ２０１、弁コントローラ２０２、絞り弁２０７１〜５、カートリッジタグリーダ２１３ｘ及び通信インターフェース２０４の２つ以上の要素は、バス（例えば、１つ以上の導体又は任意の他の適切なバス）を介して又は有線であり得る通信リンクを介して互いに接続され得る。
【００５１】
いくつかの実施形態では、デバイス１００は、電子制御された正確且つ安定な流量をスパウトチャンバ２０６内に提供するように動作可能な複数の絞り弁２０７１〜５を含む。各絞り弁２０７ｘの流量及び流量継続時間は、プロセッサ２０１から受け取られた命令を使用し、弁コントローラ２０２によって制御される。他の実施形態では、絞り弁２０７１〜５は、弁コントローラ２０２又は他の同等のコントローラの制御下でカートリッジ２０８１〜５の内容物をスパウトチャンバ２０６に正確に量り取る（又は他にかなりの精度で分配する）ように構成された任意の適切なデバイスに置換することができる。
【００５２】
いくつかの実施形態では、デバイス１００は、各カートリッジ２０８１〜５に対して、それぞれカートリッジタグリーダ２１３１〜５を含む。いくつかの例では、各カートリッジ２０８ｘは、カートリッジタグを含む（図２には示さない）。上述のように、カートリッジタグは、カートリッジ２０８ｘに関する情報をデバイス２００に伝えるように構成されている。カートリッジに関する情報の例としては、カートリッジ２０８ｘの内容物、カートリッジ２０８ｘの製造業者、卸売業者及び／又はベンダー、カートリッジ２０８ｘの内容物の保存寿命に関する情報が挙げられるが、これらに限定されない。カートリッジタグリーダ２１３ｘによって読み取られると、カートリッジに関する情報は、例えば、プロセッサ２０１による後の検索のために、メモリに記憶され得る。
【００５３】
いくつかの例では、各カートリッジタグリーダ２１３ｘは、カートリッジ２０８ｘがデバイスに挿入されると、カートリッジ２０８ｘ上に含まれるバーコードを読み取るように構成されたバーコードリーダを含む。いくつかの実施形態では、カンナビス系製品のパッケージに関する規制要件に準拠する必要があるバーコードは、カートリッジを識別するために使用されるバーコードである。他の適切なカートリッジタグとしては、クイックレスポンス（ＱＲ（商標））コード又は他の適切なマトリックスバーコード、無線識別（ＲＦＩＤ）タグ又はカートリッジ２０８ｘに関する前述の情報を伝えることができる任意の他の適切なタグが挙げられるが、これらに限定されない。同様に、他の適切なカートリッジタグリーダ２１３としては、クイックレスポンス（ＱＲ（商標））コードリーダ又は他の適切なマトリックスバーコードリーダ、無線識別（ＲＦＩＤ）タグリーダ又はカートリッジ２０８ｘに関する前述の情報を伝えるように構成されたタグを読み取ることができる任意の他の適切なタグリーダが挙げられるが、これらに限定されない。
【００５４】
いくつかの実施形態では、カートリッジタグリーダ２１３がカートリッジタグからカートリッジ２０８ｘに関する情報を読み取ると、情報は、プロセッサ２０１に送信される。以下により詳細に記載するように、プロセッサ２０１は、カートリッジに関する情報を様々な手法で使用するように構成されている。
【００５５】
いくつかの実施形態では、デバイス２００は、更なるカートリッジ２０５も含む。いくつかの実施形態では、カートリッジ２０５は、カートリッジ２０８１〜５よりも大きく、飲料のためのベース液体を収容し、分配するように構成されている。飲料のためのベース液体のいくつかの例としては、飲料水、ミルク（乳製品及び非乳製品の両方）、ジュース、スムージー、コーヒー又はカフェイン添加飲料、茶、ハーブ茶、ココア飲料、任意の種類の炭酸飲料、エネルギー飲料、飲むヨーグルト、発酵飲料又はアルコール飲料が挙げられるが、これらに限定されない。カートリッジ２０５は、加圧液体又は非加圧液体を収容し得る。他の実施形態では、カートリッジ２０５は、例えば、同じくスパウトチャンバ２０６と流体連通する流体コネクタ取付具２１２を介して供給される飲料のためのベース液体を炭酸化又は窒素化するように構成された加圧ガスキャニスタを含む。いくつかの実施形態では、デバイス１００は、スパウト１０２と制御された流体連通状態にある更なるデバイスインターフェース１１５も含む。カートリッジ２０５からスパウトチャンバ２０６に導入される液体又はガスの量は、絞り弁２１０によって制御される。絞り弁２１０は、弁コントローラ２０２によって制御されるように構成されている。同様に、流体コネクタ２１２からスパウトチャンバ２０６に導入される液体又はガスの量は、絞り弁２１１によって制御される。絞り弁２１１も、弁コントローラ２０２によって制御されるように構成されている。
【００５６】
いくつかの実施形態では、スパウトチャンバ２０６は、絞り弁２０７ｘ、２１０及び２１１から分配された任意の粉末、液体及びガスを混合してから、得られた混合物を例えば飲料容器１０１に分配するように構成されている。他の実施形態では、スパウトチャンバ２０６は、絞り弁２０７ｘ、２１０及び２１１から分配された任意の粉末、液体及びガスを飲料容器１０１に直接分配するように構成されている。前述の混合工程及び／又は分配工程は、プロセッサ２０１によって制御され得る。
【００５７】
プロセッサ２０１は、一般に、通信インターフェース２０４及び／又はＧＵＩ  ２０３から受け取られた情報に基づいてデバイスの動作を制御するように構成されている。したがって、プロセッサ２０１は、通信インターフェース２０４及びＧＵＩ  ２０３から情報を受け取るように、且つ通信インターフェース２０４及びＧＵＩ  ２０３に情報を送信するように構成されている。更に、プロセッサ２０１は、カートリッジタグリーダ２１３１〜５から受け取られたカートリッジに関する情報及び各カートリッジ２０８１〜５内のボリュームセンサ３０１からカップリング２０９１〜５を介して、カートリッジ２０８１〜５内に残っている液体又は粉末の残量に関する情報を受け取るように構成されている。プロセッサ２０１は、各絞り弁２０７１〜５、２１０及び２１１から分配される液体又は粉末の量を弁コントローラ２０２によって正確に制御するために、各絞り弁２０７１〜５、２１０及び２１１と通信するように構成されている。
【００５８】
いくつかの例では、デバイスは、他のデバイスと通信するための通信インターフェース２０４も含む。図１３に示すように、いくつかの例では、デバイス１３０２の通信インターフェース２０４は、通信リンク上で他のデバイスと対話し得る。通信リンクは、無線、有線又は部分的に無線及び部分的に有線（例えば、Ｂｌｕｅｔｏｏｔｈ又は他の短距離若しくは近距離無線接続、ＷｉＦｉ又は他の無線ＬＡＮ、ＷｉＭＡＸ又は他の無線ＷＡＮ、セルラー、ユニバーサルシリアルバス（ＵＳＢ）等）であり得る。いくつかの例では、他のデバイスは、スマートフォン１３０１、１３０６、１３０７若しくは他の無線電話；タブレットコンピュータ１３０８；ヘッドマウントディスプレイ、スマートウォッチ若しくは他のデバイス；又は使用者により携帯されるか、装着されるか若しくは他の手法で使用者と関連付けられる任意の他の通信デバイスを含むことができる。いくつかの例では、他のデバイスは、カートリッジの製造業者、卸売業者又はベンダーと関連するサーバ１３１０若しくは他のコンピューティング実体（例えば、ウェブサイトを実装する）を含むことができる。いくつかの例では、例えば、他のデバイスがスマートフォン、タブレット、ヘッドマウントディスプレイ、スマートウォッチ又は使用者によって携帯若しくは装着される他の通信デバイスである場合、他のデバイス１３０１とデバイス１３０２、１３０３、１３０４の通信インターフェースとの間の通信は、直接的であり得、即ち任意の中間デバイスを伴わなくてもよい。例えば、いくつかの実施形態では、これは、デバイス１３０２、１３０３、１３０４と他のデバイス１３０１とのペアリング（例えば、Ｂｌｕｅｔｏｏｔｈペアリング）によって達成され得る。
【００５９】
他の場合、例えば、他のデバイス１３０６、１３０７、１３０８がデバイス１３０２、１３０３、１３０４から離れている場合、他のデバイス１３０６、１３０７、１３０８とデバイス１３０２、１３０３、１３０４との間の通信は、例えば、１つ以上のネットワーク及び／又は１つ以上の追加的な通信デバイスを介して間接的であり得る。例えば、いくつかの実施形態では、デバイス１３０２、１３０３、１３０４は、サービスプロバイダ及び最終的にインターネット１３０５又は別のネットワークへのアクセスを提供し得るＷｉＦｉホットスポット又は携帯基地局と通信し、それにより別のデバイス１３０６、１３０７、１３０８とデバイス１３０２、１３０３、１３０４とが通信することを可能にし得る。別の例として、いくつかの実施形態では、デバイス１３０２、１３０３、１３０４と別のデバイス１３０６、１３０７、１３０８との間の通信は、スマートフォン、タブレット、ヘッドマウントディスプレイ、スマートウォッチ又はデバイス１３０２、１３０３、１３０４の使用者によって携帯若しくは装着され、それ自体がＷｉＦｉホットスポット若しくは携帯基地局との確立された通信を有し得る他の通信デバイスを介して行い得る。いくつかの実施形態では、以下に記載されるように、デバイス１３０２、１３０３、１３０４と対話するために、アプリケーション（「アプリ」、即ちソフトウェア）がモバイルデバイス１３０１にインストールされ得る。
【００６０】
いくつかの実施形態では、デバイス１００、２００、１３０２は、グラフィカルユーザインターフェース（ＧＵＩ）２０３、４００を更に含む。例示的なＧＵＩ  ４００を図４に示す。いくつかの実施形態では、デバイス１００は、バッテリーで動作し、ＧＵＩ  ４００は、バッテリーに残る相対的な充電を示すように構成されたバッテリーインジケータ４０７を含む。ＧＵＩ  ４００は、通信インターフェース２０４とインターフェース２０４が接続されている任意のデバイスとのデータ通信接続強度を示す伝達情報を使用者に知らせる信号インジケータ４０９も含む。ＧＵＩ  ４００は、デバイスの使用者によって選択された特定のレシピのタイトルを示すように構成されたタイトルインジケータ部分４０５を含む。レシピは、カートリッジ内に含まれる特定の相対量の液体又は粉末も含む。ＧＵＩ  ４００は、デバイスの使用者によって選択された特定のレシピの説明を示すように構成されたディスクリプタインジケータ部分４０６も含む。ＧＵＩ  ４００は、使用者がデバイス１００の動作を制御することを可能にするグラフィカルコントロール要素４０３及びグラフィカルコントロール要素４０４も含む。グラフィカルコントロール要素の非限定的な例としては、メモリ２１６に記憶されたレシピを使用者が繰り返し表示させることを可能にするように構成されたグラフィカルコントロール要素４０３及び使用者がサーバ１３１０又はデバイス１３０１からより多くのレシピを要求することを可能にするように構成されたグラフィカルコントロール要素４０４が挙げられる。
【００６１】
ＧＵＩ  ４００は、カートリッジの内容物、例えばテトラヒドロカナビノール（ＴＨＣ）、テトラヒドロカンナビノール酸（ＴＨＣＡ）、カンナビジオール（ＣＢＤ）、デルタ−９−テトラヒドロカンナビバリン（ＴＨＣＶ）及びリモネン（ＬＭＮ）を示すカートリッジ情報インジケータ４０８１〜５並びに図２に示される及び上述のシステムを使用し、デバイスによってスパウト４０１を通して分配されるカートリッジの内容物の相対量を示す相対的な組成インジケータ４０８１〜５も含む。いくつかの実施形態では、ＧＵＩ  ４００はタッチスクリーンであり、相対量は、使用者が相対的な組成インジケータ４０８１〜５を手動で設定することによって設定され得る。いくつかの実施形態では、ＧＵＩ  ４００は、各カートリッジ内に残っている液体又は粉末の量に関する情報を伝えるように構成されたカートリッジボリュームインジケータ４１０１〜５を含む。いくつかの例では、カートリッジボリュームインジケータ４１０１〜５は、所与のカートリッジ内の液体又は粉末の量が閾値を下回ると使用者に通知するように構成される。いくつかの実施形態では、プロセッサは、任意選択的に、使用者に伝達され得る低ボリューム警告信号を生成するように構成されている。図４に示されるように、カートリッジボリュームインジケータ４１０１は、その対応するカートリッジ（ＴＨＣ）がほぼ空であるため、明滅／点滅している。
【００６２】
本明細書で定義されるように、組成又は配合は、飲料に添加するのに適した１種以上のカンナビノイド含有添加物又は１種以上のカンナビノイド含有添加物を含有する飲料を含むレシピである。
【００６３】
動作時、使用者が特定の組成物を選択すると、プロセッサ２０１は、通信インターフェース２０４を介して、ＧＵＩ  ２０３又はメモリ２１６及び／又は例えば図１３に示されるデバイス１３０６、１３０７、１３０８、１３０１及び１３１０であるが、これらに限定されない任意の他のデバイスから配合命令を受け取る。受け取られると、プロセッサは、特定の組成物に必要な各カートリッジの内容物の必要量を決定する。例えば、特定の組成物が４０ｍｇのＴＨＣ、３０ｍｇのＣＢＤ、２０ｍｇのリモネン、４０ｍｇの柑橘類フレーバーを必要とする場合、プロセッサ２０１は、関連カートリッジ情報についてメモリ２１６に問い合わせることによってカートリッジ２０８１〜５の内容物を決定する。カートリッジ情報を受け取ると、プロセッサは、カートリッジ２０８１〜５の内容物の性質及び量に基づいて、要求された配合を得ることができるかどうかを決定することができる。例えば、カートリッジ２０８１がリモネンを収容し、カートリッジ２０８３がＴＨＣを収容し、カートリッジ２０８４がＣＢＤを収容している場合、各カートリッジが十分な量の液体又は粉末を有すること及び液体又は粉末の残量を前提とした上で、ＴＨＣ、ＣＢＤ及びリモネンの濃度が所望の配合を作成するのに十分であることを条件として、必要な配合を作成することが可能である。
【００６４】
デバイス２００が所望の添加物を作成できるという決定がなされると、プロセッサ２０１は、弁コントローラ２０２に、各カートリッジ２０８ｘから適切な量の材料を量り取るように命令を送信する。量が量り取られると、量り取られた材料は、スパウト２０６を通して容器１０１に分配される。容器１０１は、空であり得るか、又は配合物を添加することになるキャリア飲料が事前に充填され得る。
【００６５】
いくつかの例では、大型カートリッジ（又は再充填可能タンク）２０５もデバイス２０５に含まれる。大型カートリッジ（又は再充填可能タンク）２０５は、キャリア飲料を含み得る。キャリア飲料の例としては、風味付けされた水（炭酸又は非炭酸のいずれか）、果汁及びコーヒー又は茶などの淹出飲料が挙げられるが、これらに限定されない。大型カートリッジ（又は再充填可能タンク）２０５は、絞り弁２０６と流体連通し、絞り弁は、弁コントローラ２０２によって制御可能である。したがって、弁コントローラは、スパウト２０６を通してデバイス２００により分配されるキャリア飲料の量を制御するように動作可能である。
【００６６】
図１３は、カンナビノイド含有飲料を調製するための例示的なデバイスと共に使用されるように構成された例示的なデータ通信システムの高レベルネットワーク図を示す。いくつかの実施形態では、ローカル通信デバイス１３０１によって制御される、カンナビノイド含有飲料を調製するためのデバイス１３０２、１３０３、１３０４が備えられている。いくつかの実施形態では、ローカル通信デバイスは、スマートフォン又はタブレットなどのモバイル通信デバイス１３０１である。図７に示すように、いくつかの実施形態では、モバイルデバイス１３０１、１７０１は、使用者がデバイス１３０２、１３０３、１３０４を制御することを可能にするグラフィカルユーザインターフェース（ＧＵＩ）１７００を実装するように構成されている。いくつかの実施形態では、ＧＵＩは、モバイルアプリケーション（又は「アプリ」）によって実装される。いくつかの実施形態では、ＧＵＩ  １７００は、配合又はレシピのタイトルが示され、配合又はレシピの説明が示されているタイトル及びディスクリプタ領域１７０２を含む。いくつかの実施形態では、レシピの説明は、配合物の消費によって得られ得る感覚又は経験を伝える情報を含む。いくつかの実施形態では、レシピの説明は、配合物が消費され得る間の適切な活動を伝える情報を含む。いくつかの実施形態では、レシピの説明は、配合物が消費され得る適切な状況を伝える情報を含む。ＧＵＩ  １７００は、グラフィカルコントロール要素１７０３１〜５も含む。グラフィカルコントロール要素１７０３１〜５は、配合についての情報を使用者に伝える機能を果たし、使用者が、グラフィカルコントロール要素と対話し、適切なグラフィカルコントロール要素矢印を押すことにより任意のカンナビノイド含有物質（又は他の添加物又は香料）の量を上又は下のいずれかにダイヤル調節することにより、配合の組成を変更することを可能にする。いくつかの実施形態では、グラフィカルコントロール要素１７０３１〜５は、使用者が、特定のカンナビノイド含有物質（又は他の添加物又は香料）に関する更なる情報を求めることも可能にする（例えば、「＋更なる情報」というグラフィカルコントロール要素を押す）。
【００６７】
いくつかの実施形態では、ＧＵＩ  １７００は、使用者が、設定された配合をデバイス１３０２、１３０３にアップロードするようにモバイルデバイス１３０１、１７０１に指示することを可能にするグラフィカルコントロール要素１７０４を含む。いくつかの例では、設定された配合は、モバイルアプリケーションによって使用者に提示された配合又はレシピである。他の例では、設定された配合は、使用者がグラフィカルコントロール要素と対話することによって少なくとも一部設定された配合又はレシピである。
【００６８】
いくつかの実施形態では、デバイス１３０２、１３０３、１３０４は、モバイルデバイス１３０１の認証メカニズムを使用することにより有効化され得る。例えば、デバイス１３０２、１３０３、１３０４は、モバイルデバイス１３０１上で実行されているモバイルアプリケーションがデバイス１３０２、１３０３、１３０４に起動信号を送出する時まで無効化され得る。起動信号は、したがって、モバイルアプリケーションが使用者を認証するためにモバイルデバイスの認証メカニズム（例えば、指紋認識メカニズム、ＰＩＮコード入力及び／又は顔認識メカニズム）にアクセスすることによって送出され得る。この方法は、チャイルドレジスタンスを確実にするために使用することもできる。
【００６９】
いくつかの実施形態では、モバイルアプリケーションによって入手できる次の配合のタイトル及びディスクリプタ領域１７０５をＧＵＩ  １７００の下部に見ることができ、ＧＵＩは、使用者が様々な配合を閲覧するために上及び／又は下にスクロールすることを可能にするように構成されている。いくつかの実施形態では、モバイルアプリケーションは、使用者が閲覧した配合を示す配合閲覧情報を収集するように構成されている。
【００７０】
いくつかの実施形態では且つ上述のように、カンナビノイド含有飲料を調製するためのデバイス１３０２、１３０３、１３０４及び／又はモバイルデバイス１３０１は、配合情報、カートリッジ情報及びデバイス１３０２、１３０３、１３０４の使用に関連する他の情報を共有、送信及び受け取るために、他のデバイス１３０６、１３０７、１３０８とインターネット上で通信するように構成されている。いくつかの実施形態では、デバイス１３０２、１３０３、１３０４は、サーバ１３１０と通信するようにも構成されている。サーバ１３１０は、カンナビノイド含有物質若しくは他の添加物を収容するカートリッジの製造業者、卸売業者及び／若しくはベンダー並びに／又はデバイス１３０２、１３０３、１３０４に関連するサーバであり得る。いくつかの実施形態では、デバイス１３０２、１３０３、１３０４及び／又はモバイルデバイス１３０１によって生成された使用情報は、サーバ１３１０に送信され得る。使用情報としては、カートリッジ情報、カートリッジ内容物情報、配合閲覧情報、配合物を分配するためにデバイス１３０２、１３０３、１３０４が使用された回数、デバイス１３０２、１３０３、１３０４によって分配された配合物の組成、デバイス１３０２、１３０３、１３０４の地理的位置、デバイスの登録所有者／使用者が挙げられ得るが、これらに限定されない。いくつかの実施形態では、サーバ１３１０は、使用者データをセキュアなデータベース１３１２に、匿名使用及び／又は使用者データ並びに他の関連データをデータベース１３１１に格納することができる。匿名使用者データの例は、デバイスの地理的位置、特定の配合物が分配された時刻等である。いくつかの実施形態では、匿名データは、特定のカンナビノイド含有物質、カートリッジ、デバイス１３０２、１３０３、１３０４及び／又は組成物に関する使用者の嗜好情報を決定するために様々な解析エンジン１３０９を通過し得る。いくつかの実施形態では、使用者の嗜好情報を使用して、使用者に、推奨される配合、カンナビノイド含有物質、香料添加物及び／又は他の添加物を含む推奨を提供することができる。いくつかの実施形態では、推奨は、デバイス１３０２、１３０３を介して使用者に提供され得る。いくつかの実施形態では、推奨は、モバイルデバイス１３０１上で実行されるモバイルアプリケーションを介して使用者に提供され得る。
【００７１】
図１１は、カンナビノイド含有飲料を調製するための例示的なデバイスと共に使用するための配合レシピをダウンロードする例示的な方法を示すフローチャートを示す。工程１１０１において、デバイス１３０２、１３０３、１３０４又はモバイルデバイス１３０１は、様々な配合を示すデータを提供するように構成された配合サーバに接続する。いくつかの実施形態では、配合サーバは、サーバ１３１０である。工程１１０２において、使用者は、デバイス１３０２のＧＵＩ又はモバイルアプリケーション１３０２のＧＵＩを使用し、配合を閲覧することができる。工程１１０３において、使用者は、デバイス１３０２のＧＵＩ又はモバイルアプリケーション１３０２のＧＵＩのグラフィカルコントロール要素の１つを使用し、配合を選択することができる。配合を選択後、工程１１０４において、配合データがデバイス１３０２、１３０３、１３０４又はモバイルデバイス１３０１にダウンロードされ得る。配合データは、デバイス１３０２、１３０３、１３０４は、配合物を分配するために必要とする任意のデータを含む。任意選択的に、配合データがモバイルデバイス１３０１にダウンロードされる場合、その後、工程１１０５において、配合データは、デバイス１３０２、１３０３、１３０４にアップロードされ得る。
【００７２】
図１２は、カンナビノイド含有飲料を調製するための例示的なデバイスと共に使用するための配合レシピをアップロードする例示的な方法を示すフローチャートを示す。工程１２０１において、配合は、デバイス１３０２上で使用者によって構成され得るか、又はデバイス１３０２、１３０３、１３０４上で使用するためにモバイルデバイス１３０１上で構成され得る。工程１２０２において、配合は、デバイス１３０２、１３０３、１３０４又はモバイルデバイス１３０１上にローカルに保存され得る。工程１２０３において、構成された配合は、デバイス１３０２、１３０３、１３０４又はモバイルデバイス１３０１から配合サーバにアップロードされ得る。いくつかの実施形態では、配合サーバは、サーバ１３１０である。
【００７３】
図５は、カンナビノイド含有飲料の液体配合物を調製するための例示的なハンドヘルドデバイス５００の図を示す。デバイスは、既存の飲料に添加されるカンナビノイド含有物質を分配するように構成されている。
【００７４】
デバイス５００は、複数のカートリッジ５０７１〜５を受け入れるように構成された複数のスロット５０９１〜５を含む。図５に示される実施形態では、デバイス５００は、５つのスロット５０７ｘを含むが、他の実施形態では、デバイス５００は、任意の数のスロット５０７ｘ、例えば１０個のスロット又は２０個のスロットを含むことができる。
【００７５】
スロット５０７１を参照すると、いくつかの実施形態では、各スロット５０７ｘは、カートリッジ５０７１の一部を形成する対応するカートリッジインターフェース５０８に接続するためのデバイスインターフェース５１１を含む。インターフェース５１１及び５０８は、液体又は粉末がカートリッジ５０７１からデバイス５００に流入することを可能にする。いくつかの実施形態では、インターフェース５１１及びインターフェース５０８は、カートリッジ５０７１をデバイス５００に固定することを可能にする。いくつかの実施形態では、インターフェース５１１及びインターフェース５０８は、カートリッジ５０７１の機能要素とデバイス５００との間の電子、化学又は電気機械連通も可能にする。各スロット５０９は、各カートリッジ５０７ｘ上に（又は内に）含まれるカートリッジタグを読み取るように構成されたカートリッジタグリーダ５１０も含む。デバイスは、各スロット５０９のデバイスインターフェースと制御された流体連通状態にあるスパウト５０１も含む。
【００７６】
いくつかの例では、各カートリッジ５０７ｘは、カートリッジタグを含む。カートリッジタグは、カートリッジ５０７ｘに関する情報をデバイス５００に伝えるように構成されている。カートリッジに関する情報の例としては、カートリッジ５０７ｘの内容物、カートリッジ５０７ｘの製造業者、卸売業者及び／又はベンダー、カートリッジ５０７ｘの内容物の保存寿命に関する情報が挙げられるが、これらに限定されない。
【００７７】
いくつかの例では、カートリッジタグは、バーコードであり、各スロット５０９は、カートリッジ５０７ｘがデバイススロット５０９内に挿入されたとき又はその後にバーコードを読み取るように構成されたバーコードリーダ５１０を含む。他の適切なカートリッジタグとしては、クイックレスポンス（ＱＲ（商標））コード又は他の適切なマトリックスバーコード、無線識別（ＲＦＩＤ）タグ又はカートリッジ５０７ｘに関する前述の情報を伝えることができる任意の他の適切なタグが挙げられるが、これらに限定されない。同様に、他の適切なカートリッジタグリーダ５１０としては、クイックレスポンス（ＱＲ（商標））コードリーダ又は他の適切なマトリックスバーコードリーダ、無線識別（ＲＦＩＤ）タグリーダ又はカートリッジ５０７ｘに関する前述の情報を伝えるように構成されたタグを読み取ることができる任意の他の適切なタグリーダが挙げられるが、これらに限定されない。デバイス５００は、バッテリーインジケータ５０３、セルラー通信信号強度インジケータ５０６、ＷｉＦｉ信号強度インジケータ５０５及びデバイスの使用者によって選択された特定のレシピの説明、使用者がデバイスの動作を制御することを可能にするグラフィカルコントロール要素を表示するためのディスプレイ領域５０４を含むＧＵＩ  ５０４も含む。グラフィカルコントロール要素の非限定的な例としては、メモリに記憶されたレシピを使用者が繰り返し表示させることを可能にするように構成されたグラフィカルコントロール要素及び使用者がサーバ１３１０又はデバイス１３０１からより多くのレシピを要求することを可能にするように構成されたグラフィカルコントロール要素が挙げられる。
【００７８】
ここで、カンナビノイド含有飲料を調製及び分配するための例示的なデバイスの概略図を示す図６を特に参照し、デバイス５００の動作の態様について説明する。デバイス６００は、カートリッジ６０８１〜５内に収容された粉末又は液体の、対応する絞り弁６０７１〜５への自由流体連通を可能にするように構成された複数のカップリング６０９１〜５を含む。いくつかの実施形態では、各カップリング６０９ｘは、カートリッジインターフェース５０８と動作的に係合したデバイスインターフェース５１１からなり、カートリッジ６０８１〜５内に収容された粉末又は液体が、対応する絞り弁６０７１〜５に実質的に遮られることなく流れることを可能にする。
【００７９】
デバイス６００は、弁コントローラ６０２と、通信インターフェース６０４と、メモリと、グラフィカルユーザインターフェース（ＧＵＩ）６０３とに動作的に接続されたプロセッサ６０１も含む。弁コントローラ６０２は、絞り弁６０７１〜５に動作的に接続されている。いくつかの実施形態では、プロセッサ６０１、弁コントローラ６０２及び通信インターフェース６０４の２つ以上の要素は、互いに物理的に別々のデバイスに実装され得、バス（例えば、１つ以上の導体又は任意の他の適切なバス）を介して又は有線であり得る通信リンクを介して互いに接続され得る。他の実施形態では、プロセッサ６０１、弁コントローラ６０２及び通信インターフェース６０４の２つ以上の要素は、単一の集積デバイスに実装され得る。更に、いくつかの実施形態では、プロセッサ６０１、弁コントローラ６０２、絞り弁６０７１〜５、カートリッジタグリーダ６１３ｘ及び通信インターフェース６０４の２つ以上の要素は、バス（例えば、１つ以上の導体又は任意の他の適切なバス）を介して又は有線であり得る通信リンクを介して互いに接続され得る。
【００８０】
いくつかの実施形態では、デバイス６００は、電子制御された正確且つ安定な流量をスパウトチャンバ６１０内に提供するように動作可能な複数の絞り弁６０７１〜５を含む。各絞り弁６０７ｘの流量及び流量継続時間は、プロセッサ６０１から受け取られた命令を使用し、弁コントローラ６０２によって制御される。他の実施形態では、絞り弁６０７１〜５は、弁コントローラ６０２又は他の同等のコントローラの制御下でカートリッジ６０８１〜５の内容物をスパウトチャンバ６１０に正確に量り取る（又は他にかなりの精度で分配する）ように構成された任意の適切なデバイスに置換することができる。
【００８１】
いくつかの実施形態では、デバイス６００は、各カートリッジ６０８１〜５に対して、それぞれカートリッジタグリーダ６１３１〜５を含む。いくつかの例では、各カートリッジ６０８ｘは、カートリッジタグを含む（図６には示さない）。上述のように、カートリッジタグは、カートリッジ６０８ｘに関する情報をデバイス６００に伝えるように構成されている。カートリッジに関する情報の例としては、カートリッジ６０８ｘの内容物、カートリッジ６０８ｘの製造業者、卸売業者及び／又はベンダー、カートリッジ６０８ｘの内容物の保存寿命に関する情報が挙げられるが、これらに限定されない。カートリッジタグリーダ６１３ｘによって読み取られると、カートリッジに関する情報は、例えば、プロセッサ６０１による後の検索のために、メモリに記憶され得る。
【００８２】
いくつかの例では、各カートリッジタグリーダ６１３ｘは、カートリッジ６０８ｘがデバイスに挿入されると、カートリッジ６０８ｘ上に含まれるバーコードを読み取るように構成されたバーコードリーダを含む。いくつかの実施形態では、カンナビス系製品のパッケージに関する規制要件に準拠する必要があるバーコードは、カートリッジを識別するために使用されるバーコードである。他の適切なカートリッジタグとしては、クイックレスポンス（ＱＲ（商標））コード又は他の適切なマトリックスバーコード、無線識別（ＲＦＩＤ）タグ又はカートリッジ６０８ｘに関する前述の情報を伝えることができる任意の他の適切なタグが挙げられるが、これらに限定されない。同様に、他の適切なカートリッジタグリーダ６１３としては、クイックレスポンス（ＱＲ（商標））コードリーダ又は他の適切なマトリックスバーコードリーダ、無線識別（ＲＦＩＤ）タグリーダ又はカートリッジ６０８ｘに関する前述の情報を伝えるように構成されたタグを読み取ることができる任意の他の適切なタグリーダが挙げられるが、これらに限定されない。
【００８３】
いくつかの実施形態では、カートリッジタグリーダ６１３がカートリッジタグからカートリッジ６０８ｘに関する情報を読み取ると、情報は、プロセッサ６０１に送信される。以下により詳細に記載するように、プロセッサ６０１は、カートリッジに関する情報を様々な手法で使用するように構成されている。
【００８４】
いくつかの実施形態では、スパウトチャンバ６１０は、絞り弁６０７ｘから分配された任意の粉末、液体及びガスを混合してから、得られた混合物を例えば飲料容器に分配するように構成されている。他の実施形態では、スパウトチャンバ６１０は、絞り弁６０７ｘから分配された任意の物質を、飲料容器に直接分配するように構成されている。前述の混合工程及び／又は分配工程は、プロセッサ６０１によって制御され得る。
【００８５】
プロセッサ６０１は、一般に、通信インターフェース６０４及び／又はＧＵＩ  ５０２から受け取られた情報に基づいてデバイスの動作を制御するように構成されている。したがって、プロセッサ６０１は、通信インターフェース６０４及びＧＵＩ  ５０２から情報を受け取るように、且つ通信インターフェース６０４及びＧＵＩ  ５０２に情報を送信するように構成されている。更に、プロセッサ６０１は、カートリッジタグリーダ６１３１〜５から受け取られたカートリッジに関する情報及び各カートリッジ６０８１〜５内のボリュームセンサ３０１からカップリング６０９１〜５を介して、カートリッジ６０８１〜５内に残っている液体又は粉末の残量に関する情報を受け取るように構成されている。プロセッサ６０１は、各絞り弁６０７１〜５から分配される液体又は粉末の量を弁コントローラ６０２によって正確に制御するために、各絞り弁６０７１〜５と通信するように構成されている。
【００８６】
いくつかの例では、デバイスは、他のデバイスと通信するための通信インターフェース６０４も含む。図１３に示すように、いくつかの例では、デバイス１３０３の通信インターフェース６０４は、通信リンク上で他のデバイスと対話し得る。通信リンクは、無線、有線又は部分的に無線及び部分的に有線（例えば、Ｂｌｕｅｔｏｏｔｈ又は他の短距離若しくは近距離無線接続、ＷｉＦｉ又は他の無線ＬＡＮ、ＷｉＭＡＸ又は他の無線ＷＡＮ、セルラー、ユニバーサルシリアルバス（ＵＳＢ）等）であり得る。いくつかの例では、他のデバイスは、スマートフォン１３０１、１３０６、１３０７若しくは他の無線電話；タブレットコンピュータ１３０８；ヘッドマウントディスプレイ、スマートウォッチ若しくは他のデバイス；又は使用者により携帯されるか、装着されるか若しくは他の手法で使用者と関連付けられる任意の他の通信デバイスを含むことができる。いくつかの例では、他のデバイスは、カートリッジの製造業者、卸売業者又はベンダーと関連するサーバ１３１０若しくは他のコンピューティング実体（例えば、ウェブサイトを実装する）を含むことができる。
【００８７】
図８は、カンナビノイド含有飲料を作製するための液体配合物を分配するための例示的なデバイス８００の図を示す。デバイス８００は、飲料容器内にある既存の飲料に添加されるカンナビノイド含有物質を分配するように構成されている。デバイス８００は、単一のカートリッジ８０３から物質を分配するためのハンドヘルドデバイスである。デバイス８００は、単一のカートリッジ８０３を受け入れるように構成された単一のスロット８０６を含む。
【００８８】
いくつかの実施形態では、スロット８０６は、カートリッジ８０３の一部を形成する対応するカートリッジインターフェース８０４に接続するためのデバイスインターフェース８０８を含む。インターフェース８０８及びインターフェース８０４は、液体又は粉末がカートリッジ８０３からデバイス８００に流入することを可能にする。いくつかの実施形態では、インターフェース８０８及びインターフェース８０４は、カートリッジ８０３をデバイス８００に固定することを可能にする。いくつかの実施形態では、インターフェース８０８及びインターフェース８０４は、カートリッジ８０３の機能要素とデバイス８００との間の電子、化学又は電気機械連通も可能にする。スロット８０６は、カートリッジ８０３上に（又は内に）含まれるカートリッジタグ８０５を読み取るように構成されたカートリッジタグリーダ８０７も含む。デバイス８００は、デバイスインターフェース８０８と制御された流体連通状態にあるスパウト８０１も含む。
【００８９】
いくつかの例では、各カートリッジ８０３は、カートリッジタグ８０５を含む。カートリッジタグ８０５は、カートリッジ８０６に関する情報をデバイス８００に伝えるように構成されている。カートリッジに関する情報の例としては、カートリッジ８０６の内容物、カートリッジ８０６の製造業者、卸売業者及び／又はベンダー、カートリッジ８０６の内容物の保存寿命に関する情報が挙げられるが、これらに限定されない。
【００９０】
いくつかの例では、カートリッジタグ８０５は、バーコードであり、各スロット８０６は、カートリッジ８０３がデバイススロット８０６内に挿入されたとき又はその後にバーコードを読み取るように構成されたバーコードリーダ８０７を含む。
【００９１】
いくつかの実施形態では、デバイス８００は、カートリッジ８０３内に収容された物質の用量をデバイス８００に分配させるように構成されたアクチュエータ８０２を含む。図１及び図５のデバイスと同様に、デバイス８００は、通信デバイス１３０１と通信するように構成されている。いくつかの実施形態では、デバイス８００及び通信デバイス１３０１は、用量のサイズを通信デバイス１３０１によって設定することを可能にするように構成されている。いくつかの実施形態では、用量のサイズは、通信デバイス１３０１上で実行されるモバイルアプリケーションによって設定され得る。用量のサイズは、モバイルアプリケーションが（例えば、サーバ１３１０からダウンロードされた又は１つ又はデバイス１３０６、１３０７、１３０８から受け取られた）所定の配合に基づいて設定することができるか、又は使用者がモバイルアプリケーションを使用することにより設定することができる。
【００９２】
図９を特に参照すると、デバイスで使用されるカートリッジを確認する方法が示されている。この方法は、図１のデバイスを参照して説明されるが、方法は、図５及び図８のデバイスでも実施することができることは理解されるであろう。工程９０１において、使用者がデバイス１００のインターフェース内にカートリッジ１０４ｘを挿入すると、デバイスは、カートリッジ１０４ｘの存在を検知する。カートリッジ１０４ｘの存在の検知（又は検出）は、カートリッジインターフェース１０５ｘの存在を任意の適切な電気機械手段、電子手段又は光電子手段によって検出することが挙げられるが、これに限定されない任意の数の手法で実施することができる。デバイス１００がカートリッジの存在を検出すると、デバイスはカートリッジタグを読み取り、そこからカートリッジ情報を得る。いくつかの例では、デバイス１００は、各カートリッジ１０４ｘ上のバーコード１０６を読み取るためのバーコードリーダを含む。いくつかの例では、デバイスは、各カートリッジ１０４ｘ上のＲＦＩＤを読み取るためのＲＦＩＤリーダを含む。
【００９３】
カートリッジ情報がデバイス１００によって読み取られると、工程９０３において、カートリッジのカートリッジ情報が有効か否かについての決定がなされる。いくつかの例では、カートリッジ情報は、カートリッジ１０４ｘの内容物並びに／又はカートリッジ１０４ｘの製造業者、卸売業者及び／若しくはベンダーの身元に関する情報を含む。カートリッジ情報が有効であるとの決定がなされた場合、デバイスは、使用者がカートリッジの内容物で飲料を調製することを可能にする。他方で、カートリッジ情報が無効であるとの決定がなされた場合、デバイスは、使用者がカートリッジの内容物で飲料を調製することを阻止するように構成されている。いくつかの例では、このような機能は、確認されるカートリッジ１０４ｘと流体連通する関連の制御可能な弁２０７を有効化又は無効化することによって提供される。有効なカートリッジ情報の例としては、カートリッジが特定濃度の特定製品（例えば、特定濃度の水溶性ＴＨＣ）を収容していること又はカートリッジ１０４ｘが特定の製造業者により作製された、特定の卸売業者により供給された且つ／若しくは特定のベンダーにより販売されたことを示す情報が挙げられるが、これらに限定されない。無効なカートリッジ情報の例としては、カートリッジが、デバイス１００の設定の１つによって許可されない特定濃度の特定製品（例えば、特定閾値を上回る特定濃度の水溶性ＴＨＣ）を収容していること又はカートリッジが特定の製造業者により作製されていない、特定の卸売業者により供給されていない且つ／若しくは特定のベンダーにより販売されていない場合を示す情報が挙げられるが、これらに限定されない。
【００９４】
（上述の任意の１つ以上の理由又は任意の他の理由から）カートリッジが有効ではないとの決定がなされた後、工程９０５において、デバイスは、使用者がデバイス１００を使用してカートリッジの内容物を飲料中に分配することを阻止するために、インターフェース及び／又はインターフェースと関連付けられた弁を無効化する。次いで、工程９０６において、使用者は、デバイス１００が無効なカートリッジ１０４ｘを検出したことを通知され得る。代わりに、（上述の任意の１つ以上の理由又は任意の他の理由から）カートリッジが有効であるとの決定がなされた後、次いで、工程９０４において、デバイスは、使用者がデバイス１００を使用してカートリッジの内容物を飲料中に分配することを可能にするために、インターフェース及び／又はインターフェースと関連付けられた弁を無効化しない。
【００９５】
図１０は、カンナビノイド含有飲料を調製するための例示的なデバイスと共に使用するためのカートリッジを自動的に再注文する例示的な方法を示すフローチャートを示す。この方法は、図１のデバイスを参照して説明されるが、方法は、図５及び図８のデバイスでも実施することができることは理解されるであろう。工程１００１において、デバイス１００は、上記に従い、カートリッジ１０４ｘ内の物質の残量を読み取る。工程１００２において、物質の残量が特定閾値未満かどうかについての決定がなされる。残量が特定閾値未満である場合、工程１００３において、デバイス１００は、カートリッジを自動的に再注文するようにデバイスが設定されているかどうかを判定する。いくつかの例では、使用者は、カンナビノイド含有飲料の作成に使用する物質が尽きるのを避けるために、この機能を有効化している。自動再注文機能が有効化されていない場合、工程１００６において、デバイスは、カートリッジがほぼ空であることを使用者に通知することができる。自動再注文機能が有効化されている場合、デバイスは、工程１００４において、通信インターフェース６０４を使用して再注文サーバにコンタクトし、新たなカートリッジを注文することができる。いくつかの実施形態では、再注文サーバは、サーバ１３１０である。最後に、工程１００５において、デバイスは、工程１００５において、交換用カートリッジが注文されたことを使用者に通知することができる。いくつかの実施形態では、デバイスは、使用者にＧＵＩ  ４００を介して通知することができる。
【００９６】
別の態様を参照すると、図１４は、カンナビノイド含有飲料を作成するための例示的な発泡性タブレットを示す。いくつかの実施形態では、配合物は、水又は水溶液中で発泡するタブレットの形態である。発泡は、タブレット中に含有された酸及び塩基の水との反応によるＣＯ２遊離の結果である。発泡は、カンナビノイド含有物質を微細な粒子として溶液中に均一且つ迅速に分散させるのに役立つ。これは、カンナビノイド、テルペン及びテルペノイドなどの不溶性又はやや難溶の化合物において特に重要である。水に溶けにくい化合物の発泡性配合物は、胃腸管内で沈殿する可能性を低下させるより微細な粒子を作ることを発泡が促進するため、このような化合物のより良好な生物学的利用能及び吸収を提供することが示されている。発泡性配合物の成分は、酸及び塩基、潤滑剤、界面活性剤、結合剤、甘味料、着香剤、着色剤又はこれらの任意の組み合わせを含み得る。
【００９７】
発泡性タブレットに使用し得る酸としては、クエン酸、酒石酸、アスコルビン酸、フマル酸、アセチルサリチル酸、リンゴ酸、酸無水物及び酸性塩が挙げられ得るが、これらに限定されない。発泡性タブレット中のＣＯ２源として機能する塩基としては、炭酸水素ナトリウム、炭酸ナトリウム、炭酸カリウム、炭酸カリウム、炭酸カルシウム及びグリシン炭酸ナトリウム（ｓｏｄｉｕｍ  ｇｌｙｃｉｎｅ  ｃａｒｂｏｎａｔｅ）などのアミノ酸−アルカリ金属炭酸塩誘導体が挙げられ得るが、これらに限定されない。いくつかの実施形態では、早すぎる発泡反応を避けるために、タブレット生産及び保管の全プロセスは低湿度で実施される。
【００９８】
いくつかの実施形態では、タブレットの全成分がタブレット化の前に十分に混合され、固体混合物として自由流動することを確実にするために、配合物に内在潤滑剤を添加し得る。潤滑剤は、タブレットが圧縮時に機械加工部品のいずれかに貼り付かないようにもする。
【００９９】
いくつかの実施形態では、疎水性及び親水性両方の潤滑剤が使用される。ラウリル硫酸ナトリウム及びラウリル硫酸マグネシウムなどの界面活性剤も潤滑剤として使用することができる。
【０１００】
いくつかの実施形態では、界面活性剤は、タブレット中の化合物の溶解速度を増加させるために発泡性タブレットに添加される。更に、いくつかの実施形態では、水位より上の配合物コンテナの壁に化合物が貼り付く傾向を低下させるために、ポリジメチルシロキサンなどの消泡剤が使用される。
【０１０１】
いくつかの実施形態では、タブレットを結合するために結合剤（例えば、マルチトール）が使用される。いくつかの実施形態では、ショ糖及びソルビトールなどの甘味料がタブレット中に使用される。
【０１０２】
図１５を特に参照し、ここで、複数の例示的な発泡性タブレットの安全な流通及び販売のための例示的な消費者製品について説明する。消費者製品１５００は、個別包装された発泡性タブレット１５０２の連結されたアレイを含む。各タブレット１５０２は、液体可溶性の又は部分的に液体可溶性のカンナビノイド含有物質を含有する。いくつかの実施形態では、各発泡性タブレット１５０２は、異なる液体可溶性の又は部分的に液体可溶性のカンナビノイド含有物質を含有する。いくつかの実施形態では、アレイの複数の横列１５０１１〜５の横列１５０１ｘ内の発泡性タブレットは、同じ液体可溶性の又は部分的に液体可溶性のカンナビノイド含有物質を含有する。いくつかの実施形態では、アレイの各縦列は、異なる液体可溶性の又は部分的に液体可溶性のカンナビノイド含有物質を含有する発泡性タブレット１５０１を収容する。いくつかの実施形態では、アレイの複数の横列１５０１１〜５の少なくとも１つの横列１５０１ｘは、テトラヒドロカンナビノール（ＴＨＣ）系物質を含有する発泡性タブレットを収容する。いくつかの実施形態では、アレイの複数の横列１５０１１〜５の少なくとも１つの横列１５０１ｘは、テトラヒドロカンナビノール（ＴＨＣ）系物質に対する解毒剤として機能するように構成された物質を含有する発泡性タブレットを収容する。いくつかの実施形態では、アレイの複数の横列１５０１１〜５の少なくとも１つの横列１５０１ｘは、カンナビジオール（ＣＢＤ）系物質を含有する発泡性タブレットを収容する。
【０１０３】
図１６は、複数の例示的な発泡性タブレットの安全な流通及び販売のための消費者製品のパッケージの例を示す。デバイス１６００は、少なくとも１種の液体可溶性の又は部分的に液体可溶性のカンナビノイド含有物質を含む発泡性タブレットを分配するように構成されている。デバイス１６００は、複数の発泡性タブレットを保持するようにそれぞれ構成された２つのチャンバを含む。各チャンバは、発泡性タブレットを通過させるように構成された開口部を有する分配端を含む。図１６の例では、チャンバをねじ蓋１６０６により開けることによって各チャンバにタブレットを充填することができる。各チャンバは、発泡性タブレットを分配端に向かって付勢するための機械的な付勢手段も含む。いくつかの実施形態では、機械的な付勢手段は、台座１６０５、１６０４及びばね１６０２、１６０３を含む。デバイス１６００は、使用者が１つの発泡性タブレットを少なくとも部分的に開口部を通して移動させることを可能にするように構成された分配アクチュエータ１６１０、１６１１も含む。
【０１０４】
当業者であれば、様々な上述の方法の工程は、プログラムされたコンピュータによって実施することができることを容易に理解するであろう。本明細書において、いくつかの実施形態は、機械又はコンピュータ読み取り可能であり、機械実行可能又はコンピュータ実行可能な命令のプログラムをコード化するプログラム記憶デバイス、例えば、デジタルデータ記憶媒体を対象とすることも意図しており、前記命令は、前記上述の方法の工程のいくつか又は全てを実行する。実施形態は、上記の方法の前記工程を実行するようにプログラムされたコンピュータを対象とすることも意図している。
【０１０５】
当業者であれば、本明細書中の任意のブロック図が、本明細書で開示されている原理を具現化した例示的な回路の概念図を示すことを理解すべきである。同様に、任意のフローチャート及びスクリプト等は、コンピュータ可読媒体で実質的に示され、したがって、コンピュータ又はプロセッサが明示的に示されているか否かを問わず、このようなコンピュータ又はプロセッサによって実行され得る様々なプロセスを示すことは理解されるであろう。
【０１０６】
様々な実施形態及び例を示してきたが、これは、説明のためであり、限定的であるべきではない。様々な修正形態及び改良形態が当業者に明らかになるであろう。
【０１０７】
いくつかの実施形態の動作に必要となる可能性のある特定の追加要素については、当業者の理解の範囲内であると想定されるため、説明も図示もしていない。更に、特定の実施形態は、本明細書に具体的に開示されていない任意の要素を含まなくてもよく、本明細書に具体的に開示されていない任意の要素を欠き得、且つ／又は本明細書に具体的に開示されていない任意の要素なしで機能し得る。
【０１０８】
いくつかの実装例では、本明細書に記載される任意の実施形態の任意の特徴を、本明細書に記載される任意の他の実施形態の任意の特徴と組み合わせ得る。
【図１】
2021534049.tif 000003
【図２】
2021534049.tif 000004
【図３】
2021534049.tif 000005
【図４】
2021534049.tif 000006
【図５】
2021534049.tif 000007
【図６】
2021534049.tif 000008
【図７】
2021534049.tif 000009
【図８】
2021534049.tif 000010
【図９】
2021534049.tif 000011
【図１０】
2021534049.tif 000012
【図１１】
2021534049.tif 000013
【図１２】
2021534049.tif 000014
【図１３】
2021534049.tif 000015
【図１４】
2021534049.tif 000016
【図１５】
2021534049.tif 000017
【図１６】
2021534049.tif 000018
【手続補正書】
【提出日】令和3年4月20日(2021.4.20)
【手続補正１】
【補正対象書類名】特許請求の範囲
【補正対象項目名】全文
【補正方法】変更
【補正の内容】
【特許請求の範囲】
【請求項１】
カンナビノイド含有飲料を作製するための装置であって、
カンナビノイド含有物質を収容するカートリッジを受け入れるように構成された少なくとも１つのインターフェースと、
前記少なくとも１つのインターフェースと流体連通し、ある量の前記物質を前記カートリッジから分配するように構成された少なくとも１つの弁と、
前記弁によって分配される前記物質の前記量を変更するために、前記弁を制御するように構成された弁コントローラと、
カートリッジと関連付けられたカートリッジタグを読み取るように構成されたカートリッジタグリーダであって、前記カートリッジタグは、カートリッジ情報を伝えるように配置されている、カートリッジタグリーダと、
前記カートリッジ情報に基づいて前記装置を無効化するように構成されたプロセッサと
を含む装置。
【請求項２】
通信デバイスから命令を受け取るように構成された通信インターフェースを更に含み、前記プロセッサは、前記弁によって分配される前記物質の前記量が前記通信デバイスによって設定され得るように、前記通信インターフェースから前記命令を受け取り、且つ前記弁コントローラの動作を制御するように更に構成されている、請求項１に記載の装置。
【請求項３】
前記通信デバイスは、モバイルデバイスであり、前記命令は、前記装置に関連するモバイルアプリケーションを使用して前記モバイルデバイス上で生成される、請求項２に記載の装置。
【請求項４】
前記カートリッジ情報は、前記カートリッジ内に収容された前記物質を識別する情報、前記カートリッジの製造業者を識別する情報、前記カートリッジの卸売業者を識別する情報及び前記カートリッジのベンダーを識別する情報の少なくとも１つを含む、請求項１に記載の装置。
【請求項５】
前記プロセッサは、前記カートリッジの前記製造業者を識別する前記情報が、前記カートリッジが所定の製造業者によって製造されたことを示す情報を含まない限り、前記装置を無効化するように構成されている、請求項４に記載の装置。
【請求項６】
前記カートリッジタグは、一次元バーコード及び二次元バーコードの１つを含み、前記バーコードは、法規制遵守のために必要とされる、請求項１に記載の装置。
【請求項７】
前記プロセッサ及び前記通信インターフェースは、前記通信デバイスに前記カートリッジ情報を提供するように構成されている、請求項２又は３に記載の装置。
【請求項８】
カンナビノイド含有物質を収容する複数のカートリッジの１つを受け入れるようにそれぞれ構成された複数のインターフェースと、
それぞれ対応するインターフェースと流体連通し、且つある量の前記物質を対応するカートリッジから分配するように構成された複数の弁と
を含む、請求項１に記載の装置。
【請求項９】
通信デバイスから命令を受け取るように構成された通信インターフェースを更に含み、前記プロセッサは、前記複数の弁によって分配される前記物質の前記量が、前記通信デバイスから受け取られた前記命令によって設定され得るように、前記弁コントローラの動作を制御するように更に構成されている、請求項８に記載の装置。
【請求項１０】
複数のグラフィカルコントロール要素を実装するように構成されたグラフィカルユーザインターフェース（ＧＵＩ）を更に含み、前記グラフィカルコントロール要素は、前記装置の使用者が、前記複数の弁によって分配される前記物質の前記量を選択することを可能にするように構成されている、請求項８に記載の装置。
【請求項１１】
前記グラフィカルコントロール要素は、前記複数の弁によって分配される前記物質の所与の量を設定するために、使用者が、データ通信ネットワーク上で、前記弁コントローラの動作を制御するための命令をダウンロードすることを可能にするように更に構成されている、請求項１０に記載の装置。
【請求項１２】
前記複数のカートリッジのカートリッジと関連付けられたカートリッジタグを読み取るようにそれぞれ構成された複数のカートリッジタグリーダを含み、各カートリッジタグは、対応するカートリッジに関連するカートリッジ情報を伝えるように配置されている、請求項８〜１１のいずれか一項に記載の装置。
【請求項１３】
前記プロセッサは、前記カートリッジタグの少なくとも１つの前記カートリッジ情報に基づいて前記装置を無効化するように更に構成されている、請求項１２に記載の装置。
【請求項１４】
カンナビノイド含有飲料を作製するための装置を制御するコンピュータ実施方法であって、前記装置は、カンナビノイド含有物質とカートリッジタグとを含むカートリッジを受け入れるように構成された少なくとも１つのインターフェースと、前記カートリッジタグを読み取るように構成された少なくとも１つのカートリッジタグリーダとを含み、前記カートリッジタグは、前記カートリッジに関連するカートリッジ情報を伝えるように構成されており、前記方法は、
前記カートリッジタグから前記カートリッジ情報を読み取る工程と、
前記カートリッジ情報が所定のカートリッジ情報に対応しない場合に前記装置を無効化する工程と
を含む、コンピュータ実施方法。
【請求項１５】
前記カートリッジ情報は、前記カートリッジ内に収容された前記物質を識別する情報、前記カートリッジの製造業者を識別する情報、前記カートリッジの卸売業者を識別する情報及び前記カートリッジのベンダーを識別する情報の少なくとも１つを含む、請求項１４に記載のコンピュータ実施方法。
【請求項１６】
前記カートリッジ情報及び前記所定のカートリッジ情報は、前記カートリッジの前記製造業者を識別する情報に関連する、請求項１５に記載のコンピュータ実施方法。
【請求項１７】
前記装置は、グラフィカルユーザインターフェース（ＧＵＩ）を更に含み、及び前記方法は、前記ＧＵＩ上において、前記装置が無効化されたことを示す通知を生成することを更に含む、請求項１４〜１６のいずれか一項に記載のコンピュータ実施方法。
【請求項１８】
請求項９に記載の装置を制御するコンピュータ実施方法であって、
異なる組み合わせのカンナビノイド含有物質の複数の配合を示す情報を提供するように構成された配合サーバに接続する工程と、
前記複数の配合の中から配合を選択する工程と、
前記選択された配合を示す前記情報を前記通信デバイスで受け取る工程と、
前記選択された配合を示す前記情報を前記装置で受け取る工程と、
前記選択された配合に従って前記弁コントローラを構成する工程と
を含むコンピュータ実施方法。
【請求項１９】
請求項１〜１３のいずれか一項に記載の装置と共に使用するためのカートリッジであって、
ある量のカンナビノイド含有物質と、
前記カートリッジに関連するカートリッジ情報を伝えるように構成されたカートリッジタグであって、前記カートリッジ情報に基づいて前記装置が無効化され得る、カートリッジタグと
を含むカートリッジ。
【請求項２０】
前記カートリッジ情報は、前記カートリッジ内に収容された前記物質を識別する情報、前記カートリッジの前記製造業者を識別する情報、前記カートリッジの前記卸売業者を識別する情報及び前記カートリッジの前記ベンダーを識別する情報の少なくとも１つを含む、請求項１９に記載のカートリッジ。
【請求項２１】
前記カートリッジタグは、一次元バーコード、二次元バーコード及び無線識別（ＲＦＩＤ）タグの１つを含む、請求項１９又は２０に記載のカートリッジ。
【請求項２２】
前記カートリッジタグは、一次元バーコード及び二次元バーコードの１つを含み、前記バーコードは、法規制遵守のために必要とされる、請求項２１に記載のカートリッジ。
【国際調査報告】
2021534049.tif 000019
2021534049.tif 000020
2021534049.tif 000021
2021534049.tif 000022